(57)【特許請求の範囲】
【請求項１】
係合爪を有するコネクタ穴を両端に設けたアダプタハウジングと、
前記アダプタハウジングの係合爪と係合可能なコネクタハウジング、及び前記コネクタハウジングと係合された前記係合爪に当接してその係合を解除可能なつまみを有する光コネクタを、一端の前記コネクタ穴に挿入する際、前記コネクタハウジングに押動される可動受け部材とを備え、
前記アダプタハウジングには、前記光コネクタのコネクタハウジング前端部に押動された可動受け部材から与えられる押圧力あるいは引っ張り力によって弾性変形されて、前記可動受け部材を前記光コネクタのコネクタハウジング前端部に向かって弾性付勢するスプリングが組み込まれ、
前記アダプタハウジングは窓孔を有し、前記可動受け部材の押動に基づき前記光コネクタの結合状態の表示を前記窓孔を用いて行う光コネクタアダプタ。
【請求項２】
前記可動受け部材は、前記アダプタハウジングとは色が異なる部分を有する請求項１に記載の光コネクタアダプタ。
【請求項３】
前記アダプタハウジングあるいは該アダプタハウジング内に固定された部材に、外部から前記窓孔を介して視認される識別用ベース面が形成され、前記可動受け部材は、前記識別用ベース面とは色が異なる部分を有する請求項２に記載の光コネクタアダプタ。
【請求項４】
前記アダプタハウジング内に、その軸線方向中央部に固定された取付板部から両側に突筒部が突出し、かつ前記両側の突筒部の内側孔が互いに連通したフェルール収容孔が貫通するフェルール位置決め部材を有し、
前記フェルール位置決め部材の取付板部を介して両側のコネクタ穴にそれぞれ挿入された前記光コネクタが、前記フェルール位置決め部材の突筒部にフェルールを内挿かつコネクタハウジング前端部を外挿することで、前記フェルール位置決め部材のフェルール収容孔内にてフェルール同士を突き当てて互いに接続可能とされ、
前記可動受け部材は、前記フェルール位置決め部材の片側の突筒部の外周に配置されたハウジング受け片部を有し、フェルール位置決め部材に対してそのフェルール収容孔の軸線方向に移動可能に設けられ、前記ハウジング受け片部に当接した前記光コネクタのコネクタハウジング前端部によって押動される請求項１〜３のいずれか１項に記載の光コネクタアダプタ。
【請求項５】
他方の前記コネクタ穴に、予め既設光コネクタを挿入してそのコネクタハウジングを他方の前記コネクタ穴の係合爪に係合させている請求項１〜４のいずれか１項に記載の光コネクタアダプタ。
【請求項６】
係合爪を有するコネクタ穴を設けたレセプタクルハウジングと、
前記レセプタクルハウジングの係合爪と係合可能なコネクタハウジング、及び前記コネクタハウジングと係合された前記係合爪に当接してその係合を解除可能なつまみを有する光コネクタを、前記コネクタ穴に挿入する際、前記コネクタハウジングに押動される可動受け部材とを備え、
前記レセプタクルハウジングには、前記光コネクタのコネクタハウジング前端部に押動された可動受け部材から与えられる押圧力あるいは引っ張り力によって弾性変形されて、前記可動受け部材を前記光コネクタのコネクタハウジング前端部に向かって弾性付勢するスプリングが組み込まれ、
前記レセプタクルハウジングは窓孔を有し、前記可動受け部材の押動に基づき前記光コネクタの結合状態の表示を前記窓孔を用いて行う光コネクタレセプタクル。
【請求項７】
前記可動受け部材は、前記レセプタクルハウジングとは色が異なる部分を有する請求項６に記載の光コネクタレセプタクル。
【請求項８】
前記レセプタクルハウジングあるいは該レセプタクルハウジング内に固定された部材に、外部から前記窓孔を介して視認される識別用ベース面が形成され、前記可動受け部材は、前記識別用ベース面とは色が異なる部分を有する請求項７に記載の光コネクタレセプタクル。
【請求項９】
前記レセプタクルハウジング内に、前記コネクタ穴に挿入された前記光コネクタがそのフェルールを内挿かつコネクタハウジングの前端部を外挿して嵌合される突筒部が突出するフェルール位置決め部材を有し、
前記フェルール位置決め部材は、前記突筒部の内側孔を含み該内側孔の軸線と同軸に延在して貫通するフェルール収容孔に前記フェルールを収容しており、
前記可動受け部材は、前記フェルール位置決め部材の片側の突筒部の外周に配置されたハウジング受け片部を有し、フェルール位置決め部材に対してそのフェルール収容孔の軸線方向に移動可能に設けられ、前記ハウジング受け片部に当接した前記光コネクタのコネクタハウジング前端部によって押動される請求項６〜８のいずれか１項に記載の光コネクタレセプタクル。
【請求項１０】
係合爪を有するコネクタ穴を両端に設けたアダプタハウジングと、
前記アダプタハウジングの係合爪と係合可能なコネクタハウジング、及び前記コネクタハウジングと係合された前記係合爪に当接してその係合を解除可能なつまみを有する光コネクタを、一端の前記コネクタ穴に挿入する際、その光コネクタの前記コネクタハウジングに押動される可動受け部材とを備える光コネクタアダプタにおいて、
前記アダプタハウジングには、前記光コネクタのコネクタハウジング前端部に押動された可動受け部材から与えられる押圧力あるいは引っ張り力によって弾性変形されて、前記可動受け部材を前記光コネクタのコネクタハウジング前端部に向かって弾性付勢するスプリングが組み込まれ、
前記アダプタハウジングは窓孔を有し、前記可動受け部材の押動に基づき前記光コネクタの結合状態の表示を前記窓孔を用いて行う表示方法。
【請求項１１】
係合爪を有するコネクタ穴を設けたレセプタクルハウジングと、
前記レセプタクルハウジングの係合爪と係合可能なコネクタハウジング、及び前記コネクタハウジングと係合された前記係合爪に当接してその係合を解除可能なつまみを有する光コネクタを、前記コネクタ穴に挿入する際、その光コネクタの前記コネクタハウジングに押動される可動受け部材とを備える光コネクタアダプタにおいて、
前記レセプタクルハウジングには、前記光コネクタのコネクタハウジング前端部に押動された可動受け部材から与えられる押圧力あるいは引っ張り力によって弾性変形されて、前記可動受け部材を前記光コネクタのコネクタハウジング前端部に向かって弾性付勢するスプリングが組み込まれ、
前記レセプタクルハウジングは窓孔を有し、前記可動受け部材の押動に基づき前記光コネクタの結合状態の表示を前記窓孔を用いて行う表示方法。
【発明の詳細な説明】
【技術分野】
【０００１】
本発明は、光コネクタアダプタ、光コネクタレセプタクル、表示方法に関する。
【背景技術】
【０００２】
光コネクタとしては、例えばＳＣ形光コネクタ（ＳＣ:Single fiber Coupling optical fiber connector。ＪＩＳ Ｃ ５９７３に制定されるＦ０４形光コネクタ）のように、フェルールを収容するスリーブ状のコネクタハウジング外側に、スリーブ状のつまみを有する構成のものが広く提供されている。つまみは、コネクタハウジングにその軸線方向に所定可動範囲を確保してスライド移動可能に取り付けられる。
【０００３】
上述のつまみ付きの光コネクタは、光コネクタアダプタに挿入したときに、つまみだけがアダプタに嵌合し、フェルール先端面（接合端面）が、アダプタに反対側から嵌合された光コネクタのフェルール先端面に達しない場合があった。このとき、つまみ付き光コネクタは、コネクタハウジング及びフェルールのアダプタへの挿入が不充分な状態（以下、半挿し状態とも言う）となっている。この状態（半挿し状態）は、外観上、アダプタに対する光コネクタ（つまみ付き光コネクタ）の結合が達成されているように見えるが、アダプタ内でのフェルール同士の突き当て、光コネクタ同士の接続を実現できない。
【０００４】
例えば特許文献１〜３のように、光コネクタアダプタに対する光コネクタの挿入具合をアダプタ外側から確認可能とする技術は、幾つかの提案が存在する。
光コネクタアダプタは、その内側に、コネクタ係止用の一対の爪付き係合片を有する。アダプタに挿入した光コネクタは、そのコネクタハウジングにアダプタの爪付き係合片が係合することで、アダプタに結合する。
特許文献１、２は、アダプタに挿入した光コネクタが、アダプタ内の一対の爪付き係合片間を押し拡げたことを、アダプタ外側から確認可能とする技術を開示する。特許文献１の開示技術では、アダプタに挿入した光コネクタが、アダプタ内の一対の爪付き係合片（特許文献１ではロック用爪部材）間を押し拡げたときに、爪付き係合片に押圧された表示ピンがアダプタ外側に突出する。特許文献２の開示技術は、アダプタに挿入した光コネクタに対する、アダプタ内の爪付き係合片（特許文献１ではラッチ）の嵌合状態を、アダプタに形成した窓部を介して、アダプタ外側から視認可能としたものである。
【０００５】
特許文献３は、つまみ（特許文献３ではグリップ）に形成したポート（窓部）を介して、該つまみとは色が異なるコネクタハウジング（特許文献３ではプラグフレーム）の一部がつまみ外側から見えるようにしたつまみ付き光コネクタを開示している（段落（００１９）、図７参照）。そして、特許文献３には、前記つまみ付き光コネクタをアダプタ（特許文献３では結合ハウジング）に挿入するとき、コネクタハウジングの前記窓部から見える部分（以下、露出部）がアダプタに隠れて見えなくなることで、つまみがアダプタに完全に挿入されたことを確認できる技術が開示されている。つまり、特許文献３の開示技術は、つまみの窓部を介してつまみ外側から見ることができるコネクタハウジングの露出部を、アダプタに対するつまみの挿入位置の確認用の目印として利用するものである。
【０００６】
しかしながら、特許文献１〜３の開示技術では、アダプタに挿入したつまみ付き光コネクタの半挿し状態と、嵌合（結合）が正常に進行している場合との判別は困難である。
アダプタに挿入したつまみ付き光コネクタが半挿しの場合でもアダプタの一対の爪付き係合片間の押し拡げは発生する。特許文献１、２の開示技術では、つまみ付き光コネクタが半挿しの場合でも、コネクタに押圧されたアダプタの爪付き係合片が弾性変形がアダプタ外側から確認されるが、目視等で、半挿し状態と、結合が正常に進行している場合とを判別することは難しい。また、特許文献１、２の開示技術は、アダプタに対するつまみの嵌合状態をアダプタ外側から確認可能とするものであり、アダプタに対する光コネクタ（コネクタハウジング）の結合（嵌合）状態を確認できるものではない。
特許文献３の開示技術は、アダプタに挿入したつまみ付き光コネクタのつまみが、コネクタハウジングに対してスライド移動した場合でも、コネクタハウジングの露出部を利用して、つまみがアダプタに完全に挿入されたことを確認できる。しかし、この場合、アダプタの爪付き係合片に対するコネクタハウジングの係合状態、すなわちアダプタに対する光コネクタの結合状態は確認できない。
【先行技術文献】
【特許文献】
【０００７】
【特許文献１】特開平１１−２３９０１号公報
【特許文献２】特開２０１０−３８９８７号公報
【特許文献３】特許第２８３７６０８号公報
【発明の概要】
【発明が解決しようとする課題】
【０００８】
本発明は、光コネクタの結合状態を外側から容易に把握、確認可能な光コネクタアダプタ、光コネクタレセプタクル、表示方法の提供を目的としている。
【課題を解決するための手段】
【０００９】
上記課題を解決するために、本発明では以下の構成を提供する。
第１の発明は、係合爪を有するコネクタ穴を両端に設けたアダプタハウジングと、前記アダプタハウジングの係合爪と係合可能なコネクタハウジング、及び前記コネクタハウジングと係合された前記係合爪に当接してその係合を解除可能なつまみを有する光コネクタを、一端の前記コネクタ穴に挿入する際、前記コネクタハウジングに押動される可動受け部材とを備え、前記アダプタハウジングには、前記光コネクタのコネクタハウジング前端部に押動された可動受け部材から与えられる押圧力あるいは引っ張り力によって弾性変形されて、前記可動受け部材を前記光コネクタのコネクタハウジング前端部に向かって弾性付勢するスプリングが組み込まれ、前記アダプタハウジングは窓孔を有し、前記可動受け部材の押動に基づき前記光コネクタの結合状態の表示を前記窓孔を用いて行う光コネクタアダプタを提供する。
第２の発明は、前記可動受け部材は、前記アダプタハウジングとは色が異なる部分を有する第１の発明の光コネクタアダプタを提供する。
第３の発明は、前記アダプタハウジングあるいは該アダプタハウジング内に固定された部材に、外部から前記窓孔を介して視認される識別用ベース面が形成され、前記可動受け部材は、前記識別用ベース面とは色が異なる部分を有する第２の発明の光コネクタアダプタを提供する。
第４の発明は、前記アダプタハウジング内に、その軸線方向中央部に固定された取付板部から両側に突筒部が突出し、かつ前記両側の突筒部の内側孔が互いに連通したフェルール収容孔が貫通するフェルール位置決め部材を有し、前記フェルール位置決め部材の取付板部を介して両側のコネクタ穴にそれぞれ挿入された前記光コネクタが、前記フェルール位置決め部材の突筒部にフェルールを内挿かつコネクタハウジング前端部を外挿することで、前記フェルール位置決め部材のフェルール収容孔内にてフェルール同士を突き当てて互いに接続可能とされ、前記可動受け部材は、前記フェルール位置決め部材の片側の突筒部の外周に配置されたハウジング受け片部を有し、フェルール位置決め部材に対してそのフェルール収容孔の軸線方向に移動可能に設けられ、前記ハウジング受け片部に当接した前記光コネクタのコネクタハウジング前端部によって押動される第１〜３のいずれか１つの発明の光コネクタアダプタを提供する。
第５の発明は、他方の前記コネクタ穴に、予め既設光コネクタを挿入してそのコネクタハウジングを他方の前記コネクタ穴の係合爪に係合させている第１〜４のいずれか１つの発明の光コネクタアダプタを提供する。
第６の発明は、係合爪を有するコネクタ穴を設けたレセプタクルハウジングと、前記レセプタクルハウジングの係合爪と係合可能なコネクタハウジング、及び前記コネクタハウジングと係合された前記係合爪に当接してその係合を解除可能なつまみを有する光コネクタを、前記コネクタ穴に挿入する際、前記コネクタハウジングに押動される可動受け部材とを備え、前記レセプタクルハウジングには、前記光コネクタのコネクタハウジング前端部に押動された可動受け部材から与えられる押圧力あるいは引っ張り力によって弾性変形されて、前記可動受け部材を前記光コネクタのコネクタハウジング前端部に向かって弾性付勢するスプリングが組み込まれ、前記レセプタクルハウジングは窓孔を有し、前記可動受け部材の押動に基づき前記光コネクタの結合状態の表示を前記窓孔を用いて行う光コネクタレセプタクルを提供する。
第７の発明は、前記可動受け部材は、前記レセプタクルハウジングとは色が異なる部分を有する第６の発明の光コネクタレセプタクルを提供する。
第８の発明は、前記レセプタクルハウジングあるいは該レセプタクルハウジング内に固定された部材に、外部から前記窓孔を介して視認される識別用ベース面が形成され、前記可動受け部材は、前記識別用ベース面とは色が異なる部分を有する第７の発明の光コネクタレセプタクルを提供する。
第９の発明は、前記レセプタクルハウジング内に、前記コネクタ穴に挿入された前記光コネクタがそのフェルールを内挿かつコネクタハウジングの前端部を外挿して嵌合される突筒部が突出するフェルール位置決め部材を有し、前記フェルール位置決め部材は、前記突筒部の内側孔を含み該内側孔の軸線と同軸に延在して貫通するフェルール収容孔に前記フェルールを収容しており、前記可動受け部材は、前記フェルール位置決め部材の片側の突筒部の外周に配置されたハウジング受け片部を有し、フェルール位置決め部材に対してそのフェルール収容孔の軸線方向に移動可能に設けられ、前記ハウジング受け片部に当接した前記光コネクタのコネクタハウジング前端部によって押動される第６〜８のいずれか１つの発明の光コネクタレセプタクルを提供する。
第１０の発明は、係合爪を有するコネクタ穴を両端に設けたアダプタハウジングと、前記アダプタハウジングの係合爪と係合可能なコネクタハウジング、及び前記コネクタハウジングと係合された前記係合爪に当接してその係合を解除可能なつまみを有する光コネクタを、一端の前記コネクタ穴に挿入する際、その光コネクタの前記コネクタハウジングに押動される可動受け部材とを備える光コネクタアダプタにおいて、前記アダプタハウジングには、前記光コネクタのコネクタハウジング前端部に押動された可動受け部材から与えられる押圧力あるいは引っ張り力によって弾性変形されて、前記可動受け部材を前記光コネクタのコネクタハウジング前端部に向かって弾性付勢するスプリングが組み込まれ、前記アダプタハウジングは窓孔を有し、前記可動受け部材の押動に基づき前記光コネクタの結合状態の表示を前記窓孔を用いて行う表示方法を提供する。
第１１の発明は、係合爪を有するコネクタ穴を設けたレセプタクルハウジングと、前記レセプタクルハウジングの係合爪と係合可能なコネクタハウジング、及び前記コネクタハウジングと係合された前記係合爪に当接してその係合を解除可能なつまみを有する光コネクタを、前記コネクタ穴に挿入する際、その光コネクタの前記コネクタハウジングに押動される可動受け部材とを備える光コネクタアダプタにおいて、前記レセプタクルハウジングには、前記光コネクタのコネクタハウジング前端部に押動された可動受け部材から与えられる押圧力あるいは引っ張り力によって弾性変形されて、前記可動受け部材を前記光コネクタのコネクタハウジング前端部に向かって弾性付勢するスプリングが組み込まれ、前記レセプタクルハウジングは窓孔を有し、前記可動受け部材の押動に基づき前記光コネクタの結合状態の表示を前記窓孔を用いて行う表示方法を提供する。
【発明の効果】
【００１０】
本発明によれば、光コネクタアダプタあるいは光コネクタレセプタクルであるコネクタ接続用ユニットのコネクタ穴に、つまみを有する光コネクタを挿入したときに、光コネクタのコネクタハウジングによる可動受け部材の押動に基づきコネクタ接続用ユニットに対する前記光コネクタの結合状態をコネクタ接続用ユニット外側から視認可能に表示する。このため、本発明では、コネクタ接続用ユニットに挿入した光コネクタのコネクタ接続用ユニットに対する結合状態を、コネクタ接続用ユニット外側から容易かつ確実に把握、確認できる。
【図面の簡単な説明】
【００１１】
【図１】本発明の１実施形態の光コネクタアダプタと、該光コネクタアダプタに挿入、嵌合（結合）する光コネクタ（つまみ付き光コネクタ）の一例を示す全体斜視図である。
【図２】図１の光コネクタアダプタを用いて光コネクタを既設光コネクタに対して接続した状態を示す斜視図である。
【図３】図１の光コネクタアダプタの外観構造を示す図であって、（ａ）はシャッター側から見た斜視図、（ｂ）は図３（ａ）とは反対の側から見た斜視図である。
【図４】図１の光コネクタアダプタの内部構造を説明する斜視図であって、（ａ）はアダプタハウジングからハウジングベース板を取り外した状態、（ｂ）はアダプタハウジングを構成するコ字形壁部材を示す斜視図である。
【図５】（ａ）、（ｂ）は、図１の光コネクタアダプタのアダプタハウジングを構成するハウジングベース板を示す斜視図である。
【図６】図１の光コネクタアダプタの位置決め係合ユニットと可動受け部材との関係を説明する斜視図であって、（ａ）は可動受け部材のスプリング受け片部が配置されている側、（ｂ）は可動受け部材の表示片部が配置されている側を示す。
【図７】図６の位置決め係合ユニットの分解斜視図である。
【図８】図１の光コネクタアダプタの可動受け部材を説明する図であって、（ａ）、（ｂ）は斜視図、（ｃ）は側面図、（ｄ）は平面図である。
【図９】図１に例示した光コネクタの動作を説明する斜視図であり、（ａ）はフロントつまみのコネクタハウジングに対する前側への突出寸法が最大値と最小値との間にある状態、（ｂ）はフロントつまみがコネクタハウジングに対するその後側方向へのスライド移動限界位置に配置された状態を示す。
【図１０】図１の光コネクタの内部構造を示す図であり、（ａ）は平断面図、（ｂ）は側断面図である。
【図１１】図１の光コネクタの構造を説明する分解斜視図である。
【図１２】図１１における光コネクタのコネクタハウジングの構造、及びその内部構造を説明する分解斜視図である。
【図１３】図１の光コネクタのフロントつまみの構造を説明する図であって、（ａ）は側断面図、（ｂ）は平面図、（ｃ）は正面図、（ｄ）は図１３（ｃ）の右側面図、（ｅ）は背面図、（ｆ）は下面図、（ｇ）は図１３（ｃ）の左側面図である。
【図１４】図１の光コネクタのフロントつまみをその背面側から見た構造を示す斜視図である。
【図１５】図１の光コネクタのリアつまみの構造を説明する図であって、（ａ）は一部破断断面斜視図、（ｂ）は平面図、（ｃ）は正面図、（ｄ）は図１５（ｃ）の右側面図、（ｅ）は背面図、（ｆ）は下面図、（ｇ）は図１５（ｃ）の左側面図である。
【図１６】図１の光コネクタのフロントつまみとリアつまみの係止突爪との関係を説明する拡大平断面図であって、（ａ）はリアつまみの、その係止突爪がフロントつまみの溝後端段差に係合する初期位置、（ｂ）はリアつまみの係止突爪とフロントつまみのつめみ係止爪との係合状態を示す。
【図１７】図１の光コネクタアダプタに光コネクタを挿入して結合させる作業において、光コネクタアダプタに光コネクタを挿入する前の状態を示す図であって、（ａ）は平断面図、（ｂ）は側断面図である。
【図１８】図１７の光コネクタアダプタに挿入した光コネクタが光コネクタアダプタに対して半挿しの状態を説明する図であって、（ａ）は平断面図、（ｂ）は側断面図である。
【図１９】図１７の光コネクタアダプタに対する光コネクタの結合完了状態を説明する図であって、（ａ）は平断面図、（ｂ）は側断面図である。
【図２０】図１の光コネクタアダプタのアダプタハウジングの窓孔に対する可動受け部材の位置関係を、光コネクタアダプタに対する光コネクタの挿入状態に対応して説明する平面図であり、（ａ）は光コネクタの挿入前、（ｂ）は光コネクタが半挿しになっているとき、（ｃ）は光コネクタの結合完了時を示す。
【図２１】図１の光コネクタアダプタに予め嵌合しておいた既設光コネクタとして採用可能な光コネクタの一例を示す斜視図である。
【図２２】（ａ）、（ｂ）は、図２１の光コネクタを光ファイバケーブル先端部に組み立てる方法を説明する図である。
【図２３】図２２（ａ）に例示した光コネクタ後端部の受け台部の、コネクタ後側から見た構造を示す図である。
【図２４】図２１の光コネクタのコネクタハウジングに組み込まれているクランプ部付きフェルールを示す斜視図である。
【図２５】図２４のクランプ部付きフェルールの構造を説明する縦断面図である。
【図２６】図２４のクランプ部付きフェルールの構造を説明する分解斜視図である。
【図２７】図２４のクランプ部付きフェルールのクランプ部を構成する各素子の対向面を並べて示した図である。
【図２８】図２４のクランプ部付きフェルールのクランプ部の開閉を説明する略解図であって、（ａ）は開放状態、（ｂ）は光ファイバを半割りの素子間に把持固定した状態を示す。
【図２９】図２１の光コネクタを組み立てる光ファイバケーブルの構造の一例を示す斜視図である。
【図３０】図１の光コネクタアダプタから受け部材スプリングを省略した構成の光コネクタアダプタを略解的に説明する図である。
【図３１】（ａ）、（ｂ）は、本発明に係る実施形態の別態様の可動受け部材、ハウジング受け片部を説明する図である。
【図３２】本発明に係る実施形態の光コネクタレセプタクルの一例を説明する平断面図である。
【図３３】図３２の光コネクタレセプタクルの位置決め係合ユニットと可動受け部材との関係を説明する斜視図であって、（ａ）は可動受け部材のスプリング受け片部が配置されている側、（ｂ）は可動受け部材の表示片部が配置されている側を示す。
【図３４】光コネクタアダプタあるいは光コネクタレセプタクルに挿入する光コネクタの他の例を説明する断面図である。
【図３５】図３４の光コネクタを示す外観斜視図である。
【発明を実施するための形態】
【００１２】
以下、本発明の１実施形態の光コネクタアダプタについて、図面を参照して説明する。
図１、図２に示すように、ここで説明する実施形態の光コネクタアダプタ１０は、光コネクタ２０、５０同士の接続に用いられる光コネクタアダプタ（以下、単にアダプタとも言う）である。
【００１３】
なお、ここでは、アダプタ１０にその両側から挿入、嵌合（結合）して互いに接続される一対の光コネクタ２０、５０の一方（図示例では符号５０の光コネクタ）をアダプタ１０に結合したままの状態にしてある。この光コネクタ５０を、以下、既設光コネクタ５０とも言う。
一対の光コネクタ２０、５０の他方（符号２０の光コネクタ）はアダプタ１０に挿脱される。この光コネクタ２０を、以下、挿入光コネクタとも言う。挿入光コネクタ２０は、前記アダプタ１０に結合（嵌合）状態の既設光コネクタ５０に対して、該既設光コネクタ５０とは反対の側からアダプタ１０のアダプタハウジング１１に挿入、嵌合（結合）して接続される。光コネクタ２０、５０同士の接続は、光コネクタ２０、５０のフェルール２１、３１（図１７（ａ）、（ｂ）〜図１９（ａ）、（ｂ）参照）先端の接合端面２１ａ、３１ａ同士をアダプタ１０内にて突き合わせ、該フェルール２１、３１に内挿固定されている光ファイバ１ａ、３２同士を突き合わせ接続（光接続）することで実現される。
【００１４】
図３（ａ）、（ｂ）、図４（ａ）、（ｂ）に示すように、前記アダプタ１０は、角筒状のアダプタハウジング１１内に、位置決め係合ユニット１２（後述）と、可動受け部材１３（後述）と、該可動受け部材１３の弾性付勢用のスプリング１４とを組み込んだ概略構成となっている。
アダプタハウジング１１は、概略長方形板状のハウジングベース板１６の片面側に、断面コ字形で延在する細長部材であるコ字形壁部材１７を固定して、角筒状に組み立てられている。
【００１５】
なお、ハウジングベース板１６にコ字形壁部材１７を固定する固定手段としては、例えばハウジングベース板１６とコ字形壁部材１７とを接着固定する接着材、ねじ止め用の止めねじ等を挙げることができる。また、固定手段としては、ハウジングベース板１６及びコ字形壁部材１７の一方に突設され、ハウジングベース板１６及びコ字形壁部材１７の他方に形成した係止部に係合する係合爪などであっても良い。
【００１６】
図４（ａ）、図６（ａ）、（ｂ）、図７等に示すように、位置決め係合ユニット１２は、光コネクタのフェルールが挿入される位置決め用突筒部１２ｂと、アダプタハウジング１１内に挿入した光コネクタを係止するための一対の爪付き係合片１２ｃとを有するユニット半体１２Ａ、１２Ｂ同士を一体化した概略構成となっている。
各ユニット半体１２Ａ、１２Ｂは、ベース板１２ａの片面側に、位置決め用突筒部１２ｂと、一対の爪付き係合片１２ｃとが突設された構成となっている。
【００１７】
一対のユニット半体１２Ａ、１２Ｂは、ベース板１２ａの、位置決め用突筒部１２ｂ及び一対の爪付き係合片１２ｃが突設されている側とは反対側の面（接合面１２ｄ）同士を接合させて一体化されている。位置決め係合ユニット１２は、ユニット半体１２Ａ、１２Ｂのベース板１２ａ同士を互いに接合してなるセンタープレート部１２ｅを、角筒状のアダプタハウジング１１の軸線（中心軸線）に垂直の向きとしてアダプタハウジング１１に組み付けて、アダプタハウジング１１内に組み込まれている。センタープレート部１２ｅは、位置決め係合ユニット１２をアダプタハウジング１１に組み付けるための取付板部として機能する。
なお、ユニット半体１２Ａ、１２Ｂは、それぞれプラスチック製の一体成形品である。
【００１８】
図７、図１７（ａ）、（ｂ）等に示すように、各ユニット半体１２Ａ、１２Ｂには、位置決め用突筒部１２ｂの内側孔を延長して、ベース板１２ａの接合面１２ｄに開口させた断面円形の貫通孔であるフェルール挿入孔１２ｆが貫設されている。フェルール挿入孔１２ｆは、その一端が、ベース板１２ａの接合面１２ｄに開口し、他端がベース板１２ａから突出する位置決め用突筒部１２ｂの先端に開口している。
【００１９】
図１７（ａ）、（ｂ）に示すように、位置決め係合ユニット１２は、各ユニット半体１２Ａ、１２Ｂのフェルール挿入孔１２ａ同士が連通してなるフェルール収容孔１２ｇを有する。各ユニット半体１２Ａ、１２Ｂのフェルール挿入孔１２ａは互いに同軸に連通している。
アダプタハウジング１１に組み込まれた位置決め係合ユニット１２には、フェルール収容孔１２ｇが、アダプタハウジング１１の軸線に平行の軸線を以て貫設されている。
【００２０】
図７、図１７（ａ）、（ｂ）等に示すように、位置決め係合ユニット１２は、前記フェルール収容孔１２ｇに収容した位置決めスリーブ１２ｈをさらに有している。
図示例のアダプタ１０は、具体的には、位置決めスリーブ１２ｈとして、断面Ｃ形のスリーブ状に形成された金属製の割スリーブを採用している。
但し、位置決めスリーブ１２ｈとしては、割スリーブに限定されず、例えば円筒状の弾性スリーブ、非弾性スリーブ等も採用可能である。
位置決めスリーブ１２ｈは、フェルール収容孔１２ｇの内径に比べて僅かに小さい外径に形成される。
【００２１】
光コネクタ２０、５０は単心用光コネクタである。図１７（ａ）、（ｂ）等に示すように、光コネクタ２０、５０は、ＳＣ形光コネクタ等にて使用されている単心用のキャピラリ状のフェルール２１、３１をスリーブ状のコネクタハウジング２３、５３の前端部に収容した構成になっている。フェルール２１、３１は、例えばジルコニアセラミックス、ガラス等、単心用フェルールの製造に使用される周知の材料を用いて形成したものを採用できる。
【００２２】
アダプタ１０のアダプタハウジング１１内側には、その軸線方向において、中央部に設けられた位置決め係合ユニット１２（フェルール位置決め部材）のセンタープレート部１２ｅ（取付板部）を介して両側に、光コネクタ２０、５０が挿入されるコネクタ穴１１ａ、１１ｂが確保されている。
アダプタハウジング１１の両側のコネクタ穴１１ａ、１１ｂの一方（第１のコネクタ穴１１ａ）には、既設光コネクタ５０が挿入、結合されている。
挿入光コネクタ２０は、位置決め係合ユニット２０を介して第１のコネクタ穴１１ａとは反対のコネクタ穴１１ｂ（第２のコネクタ穴１１ｂ）に挿入して、既設光コネクタ５０に接続される。
【００２３】
図１７（ａ）、（ｂ）〜図１９（ａ）、（ｂ）に示すように、光コネクタ２０、５０は、そのフェルール２１、３１を位置決め係合ユニット１２のフェルール収容孔１２ｇに挿入してアダプタハウジング１１に結合（嵌合）される。
図１７（ａ）、（ｂ）に示すように、第１のコネクタ穴１１ａに内挿されアダプタ１０に結合されている既設光コネクタ５０のフェルール３１は、位置決め係合ユニット１２のフェルール収容孔１２ｇ内の位置決めスリーブ１２ｈに内挿されている。図１７（ａ）、（ｂ）〜図１９（ａ）、（ｂ）に示すように、光コネクタ２０、５０は、そのフェルール２１、３１先端の接合端面２１ａ、３１ａ同士を位置決め係合ユニット１２のフェルール収容孔１２ｇ内（具体的には位置決めスリーブ１２ｈ内）にて突き合わせ、フェルール２１、３１に内挿固定されている光ファイバ１ａ、３２同士を突き合わせ接続（光接続）して互いに接続される。
【００２４】
光コネクタ２０、５０のフェルール２１、３１の外径は互い同じに揃えられている。位置決め係合ユニット１２の位置決めスリーブ１２ｈは、フェルール２１、３１外径に比べて僅かに小さい内径で形成されている。
図１７（ａ）、（ｂ）〜図１９（ａ）、（ｂ）に示すように、アダプタハウジング１１に挿入して嵌合（結合）した光コネクタ２０、５０のフェルール２１、３１は、位置決め係合ユニット１２の位置決めスリーブ１２ｈ内に圧入される。
【００２５】
位置決めスリーブ１２ｈは、その両端から挿入されたフェルール２１、３１を同軸上に高精度に位置決めする機能を果たす。したがって、光コネクタ２０、５０は、そのフェルール２１、３１を位置決め係合ユニット１２内の位置決めスリーブ１２ｈに挿入して互いに突き合わせることで、フェルール２１、３１に内挿固定されている光ファイバ１ａ、３２同士を同軸上に高精度に位置決めして突き合わせ接続（光接続）できる。位置決め係合ユニット１２は、光コネクタ２０、５０のフェルール２１、３１同士を、フェルール２１、３１に内挿固定されている光ファイバ１ａ、３２同士の突き合わせ接続（光接続）を実現するべく高精度に位置決めするフェルール位置決め部材として機能する。
【００２６】
図１７（ａ）、（ｂ）等に示すように、位置決め係合ユニット１２の各ユニット半体１２Ａ、１２Ｂの位置決め用突筒部１２ｂの先端部内周には、前記位置決めスリーブ１２ｈの位置決め用突筒部１２ｂ先端からの抜け出しを規制する抜け止め突部１２ｉが突設されている。位置決めスリーブ１２ｈは、各ユニット半体１２Ａ、１２Ｂの位置決め用突筒部１２ｂ先端部内周の抜け止め突部１２ｉ間に配置されており、フェルール収容孔１２ｇからの抜け出しが規制されている。
【００２７】
図１７（ａ）、（ｂ）、図２１、図２２等に示すように、光コネクタ２０、５０のコネクタハウジング２３、５３は、具体的には、ＳＣ形光コネクタのプラグフレーム２４、５４と、その後端部に嵌合したスリーブ状のストップリング２５、５５とによって構成されている。
また、図１、図２１に示すように、図示例の光コネクタ２０、５０は、コネクタハウジング２３、５３に外挿してその軸線方向に所定可動範囲を以てスライド移動に取り付けられたスリーブ状（図示例では角筒状）のつまみ２１０、５３を有する、つまみ付き光コネクタである。
【００２８】
光コネクタ２０、５０のつまみ２１０、５３の前端部両側には、アダプタ１０の位置決め係合ユニット１２の爪付き係合片１２ｃ先端部の突爪１２ｄを入り込ませて、プラグフレーム２４、５４側面の係合突部２４ａ、５４ａに係合させるための窓部２６ａ、５３ａが形成されている。
挿入光コネクタ２０のつまみ２１０は、スリーブ状のフロントつまみ２６と、その後側に該フロントつまみ２６に対してその軸線方向にスライド移動可能に設けられたスリーブ状のリアつまみ２７とで構成されている。挿入光コネクタ２０のつまみ２１０の窓部２６ａは、フロントつまみ２６の前端部に形成されている。
つまみ２１０、５３の前記窓部２６ａ、５３ａが形成されている前端部は、ＳＣ形光コネクタで使用されるつまみの前端部と同様の構成となっている。
【００２９】
アダプタ１０の位置決め係合ユニット１２としては、ＪＩＳ  Ｃ  ５９７３適合品のアダプタにて使用される位置決め係合ユニットを採用できる。
アダプタ１０及びその位置決め係合ユニット１２は、ＳＣ形光コネクタ同士の接続にも使用可能である。
【００３０】
アダプタ１０の位置決め係合ユニット１２の爪付き係合片１２ｃは、その先端の突爪１２ｄを、プラグフレーム２４、５４側面の係合突部２４ａ、５４ａに係合させることで、アダプタハウジング１１に対する抜き去り方向へのコネクタハウジングの変位を規制する（係止する）。その結果、位置決め係合ユニット１２は、位置決めスリーブ１２ｈ内におけるフェルール２１、３１同士の突き合わせ状態を安定に保つことができる。
前記爪付き係合片１２ｃ先端部の突爪１２ｄは、位置決め用突筒部１２ｂを介して両側の爪付き係合片１２ｃ先端部の互いに対面する側に突設されている。
【００３１】
なお、アダプタ１０の位置決め係合ユニット１２としては、位置決めスリーブ１２ｈを内蔵した構成に限定されない。位置決め係合ユニット１２としては、例えば、位置決めスリーブ１２ｈを省略して、位置決め用突筒部１２ｂを含む位置決め係合ユニット１２自体を位置決めスリーブとして機能させる構成も採用可能である。
【００３２】
（可動受け部材）
図４（ａ）、図６（ａ）、（ｂ）、図７に示すように、この実施形態のアダプタ１０の可動受け部材１３は、位置決め係合ユニット１２の第２のユニット半体１２Ｂの位置決め用筒部１２ｂに外挿して、第２のコネクタ穴１１ｂ内に配置されたリング状のハウジング受け片部１３ａを有する。
【００３３】
図７、図８（ａ）〜（ｄ）に示すように、この可動受け部材１３は、前記ハウジング受け片部１３ａに、バー状のスプリング受け片部１３ｂと、表示片部１３ｃとを一体化した構成になっている。スプリング受け片部１３ｂと表示片部１３ｃとは、ハウジング受け片部１３ａのその内側孔１３ｄを介して両側の部分に一体化されている。
図示例の可動受け部材１３は、全体がプラスチック製の一体成形品である。但し、可動受け部材１３としては、プラスチック製の一体成形品に限定されず、複数部品によって組み立てた構成も採用可能である。
【００３４】
図７、図８（ａ）〜（ｄ）に示すように、この可動受け部材１３のハウジング受け片部１３ａは、具体的にはリング板状に形成されている。
可動受け部材１３は、具体的には、ハウジング受け片部１３ａと、その内側孔１３ｄを介して両側の部分から該ハウジング受け片部１３ａの片面側に突設された前記表示片部１３ｃ及び中間片部１３ｅと、前記スプリング受け片部１３ｂとを具備して構成されている。
スプリング受け片部１３ｂは、前記ハウジング受け片部１３ａから突出する中間片部１３ｅの突端に、その長手方向中央部を一体化して、ハウジング受け片部１３ａの内側孔１３ｄの中心軸線方向及び表示片部１３ｃと中間片部１３ｅの間隔方向に直交する方向に延在している。また、このスプリング受け片部１３ｂは、前記中間片部１３ｅの、前記表示片部１３ｃとは反対側に一体化して設けられている。
【００３５】
図４（ａ）に示すように、可動受け部材１３のリング状（図示例ではリング板状）のハウジング受け片部１３ａは、位置決め係合ユニット１２の第２のユニット半体１２Ｂの位置決め用筒部１２ｂに、その軸線方向にスライド移動可能に外挿されている。
可動受け部材１３は、ハウジング受け片部１３ａのみならず、その全体が、位置決め係合ユニット１２の第２のユニット半体１２Ｂの位置決め用筒部１２ｂの軸線方向、換言すれば位置決め係合ユニット１２のフェルール収容孔１２ｇの軸線方向に移動可能となっている。
【００３６】
バー状のスプリング受け片部１３ｂは、アダプタ１０のアダプタハウジング１１の両側の側壁部１７ａ、１７ｂに架け渡すように配置されている。図示例のアダプタハウジング１１において、その両側の側壁部１７ａ、１７ｂは、コ字形壁部材１７の面板部１７ｃの両側に立設された側壁部１７ａ、１７ｂがこれに相当する。
なお、アダプタ１０、アダプタハウジング１１について、一対の側壁部１７ａ、１７ｂの間隔方向を幅方向とも言う。
【００３７】
図４（ａ）、図５（ａ）、（ｂ）に示すように、可動受け部材１３の弾性付勢用のスプリング１４（以下、受け部材スプリングとも言う）は、アダプタハウジング１１の幅方向両側部分に形成されたスプリング受け部１６ｄ、１７ｄと、可動受け部材１３のスプリング受け片部１３ｂとの間に介在配置されている。
スプリング受け部１６ｄ、１７ｄは、アダプタハウジング１１における第１のコネクタ穴１１ａを介して幅方向両側の部分に形成されている。
【００３８】
図示例のアダプタハウジング１１における第１のコネクタ穴１１ａを介して幅方向両側の部分には、受け部材スプリング１４収容用のスプリング収容穴１８が形成されている。このスプリング収容穴１８は、アダプタハウジング１１の軸線方向に沿って延在形成されている。
前記スプリング受け部１６ｄ、１７ｄは、アダプタハウジング１１における、前記スプリング収容穴１８の第２のコネクタ穴１１ｂ側の開口部とは反対の奥底面を形成する部分である。
【００３９】
図４（ａ）、（ｂ）に示すように、コ字形壁部材１７の側壁部１７ａ、１７ｂは、その第１のコネクタ穴１１ａを介して両側に位置する部分（以下、第２コネクタ穴側壁部とも言う）からアダプタハウジング１１内側に向かって突出する張出部１７ｅを有する。図５（ａ）、（ｂ）に示すように、ハウジングベース板１６には、前記張出部１７ｅを含む側壁部１７ａ、１７ｂのコ字形壁部材面板部１７ｃとは反対側の面に対応する位置に、該面に当接させるリブ状当接突部１６ａ、１６ｂ、１６ｃが突設されている。ハウジングベース板１６は、リブ状当接突部１６ａ、１６ｂ、１６ｃを、コ字形壁部材１７の側壁部１７ａ、１７ｂに当接させて不図示の固定手段によってコ字形壁部材１７と一体化されている。
アダプタハウジング１１のスプリング収容穴１８は、コ字形壁部材１７の張出部１７ｅと、該張出部１７ｅに対応するハウジングベース板１６のリブ状当接突部１６ｃ（以下、張出部当接突部とも言う）とにそれぞれ形成されたスプリング収容溝１８ａ、１８ｂによって構成されている。
【００４０】
前記スプリング収容溝１８ａ、１８ｂは、前記張出部１７ｅ及び張出部当接突部１６ｃの第２のコネクタ穴１１ｂ側の面に開口する開口部を有し、該開口部からアダプタハウジング１１の第１のコネクタ穴１１ａの開口部側へ向かって延在形成されている。但し、スプリング収容溝１８ａ、１８ｂは、張出部１７ｅ及び張出部当接突部１６ｃの第１のコネクタ穴１１ａ開口部側の面に達しない長さで形成されている。また、スプリング収容溝１８ａ、１８ｂは、アダプタハウジング１１軸線方向における形成位置（形成範囲）を互いに一致させて形成されている。
スプリング収容穴１８は、前記張出部１７ｅ及び張出部当接突部１６ｃに、その第２のコネクタ穴１１ｂに臨む面から第１のコネクタ穴１１ａの開口部側へ向かって延在形成されている。このスプリング収容穴１８は、張出部１７ｅ及び張出部当接突部１６ｃを貫通しない非貫通穴である。
【００４１】
図示例の受け部材スプリング１４は圧縮コイルばねである。受け部材スプリング１４は、その軸線方向一端部（基端部）をスプリング収容穴１８に収容し、スプリング収容穴１８から第２のコネクタ穴１１ｂまで突出させた部分の先端を可動受け部材１３のスプリング受け片部１３ｂに当接、あるいは取り付けて設けられている。
【００４２】
図示例のアダプタハウジング１１のスプリング受け部１６ｄ、１７ｄは、張出部１７ｅ及び張出部当接突部１６ｃにおいて、スプリング収容穴１８の第２のコネクタ穴１１ｂ側の開口部とは反対の奥底面を形成する部分である。
このスプリング受け部１６ｄ、１７ｄは、換言すれば、張出部１７ｅ及び張出部当接突部１６ｃにおいて、スプリング収容溝１８ａ、１８ｂの第１のコネクタ穴１１ａ開口部側の端に対面する面を形成する部分である。
【００４３】
図４（ａ）、図１７（ａ）、（ｂ）に示すように、アダプタ１０の可動受け部材１３のハウジング受け片部１３ａは、位置決め係合ユニット１２のセンタープレート部１２ｅから第２のコネクタ穴１１ｂの開口部側へ離隔した位置（初期位置）に配置されている。また、可動受け部材１３は、ハウジング受け片部１３ａが初期位置にあるときの位置、すなわち図４（ａ）、図１７（ａ）、（ｂ）に示す可動受け部材１３の位置が初期位置（位置決め係合ユニット１２、アダプタハウジング１１に対する初期位置）である。
【００４４】
可動受け部材１３は、第２のコネクタ穴１１ｂの開口部側から位置決め係合ユニット１２のセンタープレート部１２ｅへ向かって押圧力を与えることで、受け部材スプリング１４の弾性付勢力に抗しつつ、図４（ａ）、図１７（ａ）、（ｂ）に示す初期位置から前記センタープレート部１２ｅに接近するように押動させることができる。可動受け部材１３は、前記初期位置から、ハウジング受け片部１３ａがセンタープレート部１２ｅに当接する位置まで押動させることができる。
【００４５】
図１７（ａ）、（ｂ）〜図１９（ａ）、（ｂ）に示すように、可動受け部材１３のハウジング受け片部１３ａは、第２のコネクタ穴１１ｂに挿入した挿入光コネクタ２０のフロントつまみ２６の前端面に当接せず、かつプラグフレーム２４の前端面２４ｃに当接可能なサイズに形成されている。
図９（ｂ）に示すように、プラグフレーム２４の前端面２４ｃは五角形状になっている。図７、図８（ａ）、（ｂ）に示すように、図示例の可動受け部材１３のハウジング受け片部１３ａは、プラグフレーム２４の前端面２４ｃに合致する形状（五角形状）、サイズのリング板状に形成されている。
【００４６】
したがって、アダプタ１０の可動受け部材１３は、挿入光コネクタ２０を第２のコネクタ穴１１ｂに挿入、嵌合するとき、光コネクタ２０のプラグフレーム前端面２４ｃによってハウジング受け片部１３ａが押圧されることで押動されて、位置決め係合ユニット１２のセンタープレート部１２ｅに接近する。
図１７（ａ）、（ｂ）〜図１９（ａ）、（ｂ）の例示では、可動受け部材１３は、最終的に、ハウジング受け片部１３ａが位置決め係合ユニット１２のセンタープレート部１２ｅに当接する位置まで光コネクタ２０のプラグフレーム２４によって押動される（図１９（ａ）、（ｂ）参照）。図１９（ａ）、（ｂ）に示すように、可動受け部材１３のハウジング受け片部１３ａは、光コネクタ２０が、そのプラグフレーム２４の両側の係合突部２４ａに、アダプタ２０の位置決め係合ユニット１２の第２のコネクタ穴１１ｂ側の一対の爪付き係合片１２ｃ先端部の突爪１２ｊが係合する所まで第２のコネクタ穴１１ｂに押し込まれたときに、プラグフレーム２４前端によって位置決め係合ユニット１２のセンタープレート部１２ｅに当接される。
【００４７】
図４（ａ）に示すように、可動受け部材１３が初期位置にあるとき、可動受け部材１３のスプリング受け片部１３ｂは、第２のコネクタ穴１１ｂに配置されている。
図１７（ｂ）、図１９（ｂ）に示すように、位置決め係合ユニット１２は、図示略の保持部によってコ字形壁部材１７に取り付けられ、アダプタハウジング１１内においてハウジングベース板１６から離隔させて設けられている。可動受け部材１３のスプリング受け片部１３ｂは、可動受け部材１３が光コネクタ２０のコネクタハウジング２３（具体的にはプラグフレーム２４）によって押動されることで、位置決め係合ユニット１２とハウジングベース板１６との間に確保された隙間である受け片部移動部１１ｃを介して、初期位置から第１のコネクタ穴１１ａ側へ移動可能である。
【００４８】
図５（ｂ）に示すように、可動受け部材１３が初期位置にあるとき、スプリング受け片部１３ｂの長手方向両端部は、ハウジングベース板１６のコ字形壁部材１７に臨む内面側に、前記張出部当接突部１６ｃから第２のコネクタ穴１１ｂ側に離隔させて突設された受圧突部１６ｅに、受け部材スプリング１４の弾性付勢力によって押し付けられている。可動受け部材１３は、スプリング受け片部１３ｂの長手方向両端部が、それぞれ受け部材スプリング１４の弾性付勢力によってハウジングベース板１６の受圧突部１６ｅに押し付けられた位置が初期位置となっている。
【００４９】
可動受け部材１３は、ハウジング受け片部１３ａが押動によって初期位置から第１のコネクタ穴１１ａ方向へ移動されたとき、スプリング受け片部１３ｂの長手方向両端部が受圧突部１６ｅに当接する位置から第１のコネクタ穴１１ａ方向へ移動する。そして、ハウジング受け片部１３ａが位置決め係合ユニット１２のセンタープレート部１２ｅに当接したとき、可動受け部材１３のスプリング受け片部１３ｂの長手方向両端部は、ハウジングベース板１６の受圧突部１６ｅと張出部当接突部１６ｃとの間の中間位置に配置される。
なお、可動受け部材１３について、ハウジング受け片部１３ａが位置決め係合ユニット１２のセンタープレート部１２ｅに当接したときの位置を、以下、押動限界位置とも言う。
【００５０】
また、図６（ａ）、図１８（ｂ）等に示すように、位置決め係合ユニット１２のセンタープレート部１２ｅの幅方向（アダプタハウジング１１幅方向に一致）中央部のハウジングベース板１６側には、可動受け部材１３の中間片部１３ｅを挿入可能な切欠部１２ｋ（第１切欠部）が形成されている。可動受け部材１３は、初期位置から第１のコネクタ穴１１ａ側へ押動されたとき、中間片部１３ｅを、位置決め係合ユニット１２のセンタープレート部１２ｅの第１切欠部１２ｋに挿入できる。
【００５１】
図６（ｂ）、図１７（ｂ）、図１９（ｂ）に示すように、位置決め係合ユニット１２のセンタープレート部１２ｅの幅方向中央部のコ字形壁部材面板部１７ｃ側には、可動受け部材１３の表示片部１３ｃを挿入可能な切欠部１２ｍ（第２切欠部）が形成されている。
コ字形壁部材１７の面板部１７ｃにおける、アダプタ１０のアダプタハウジング１１軸線方向の中央部には、窓孔１１ｄが形成されている。この窓孔１１ｄは、具体的には、コ字形壁部材１７の面板部１７ｃにおいて、位置決め係合ユニット１２の前記第２切欠部１２ｍから、位置決め係合ユニット１２の第１のコネクタ穴１１ａ側のユニット半体１２Ａ（第１のユニット半体）の位置決め用突筒部１２ｂ（第１の突筒部）の基端部（ベース板１２ａ近傍）に対応する部分にわたって形成されている。
【００５２】
図１７（ｂ）に示すように、可動受け部材１３が初期位置にあるとき、表示片部１３ｃは、前記窓孔１１ｄから第２のコネクタ穴１１ｂ側にずれた位置に配置されている。図１７（ｂ）において具体的には、初期位置にある可動受け部材１３の表示片部１３ｃは、位置決め係合ユニット１２の第２のコネクタ穴１１ｂ側のユニット半体１２Ｂ（第２のユニット半体）の位置決め用突筒部１２ｂ（第２の突筒部）と、コ字形壁部材１７の面板部１７ｃとの間の隙間に配置されている。初期位置にある可動受け部材１３の表示片部１３ｃは、位置決め係合ユニット１２のセンタープレート部１２ｅから第２のコネクタ穴１１ｂ側にずれた所に位置する。
なお、可動受け部材１３の表示片部１３ｃは具体的には板状に形成されており、アダプタハウジング１１のハウジングベース板１６と面板部１７ｃとの間隔方向に垂直に延在する向きで、位置決め係合ユニット１２の第２のユニット半体１２Ｂの位置決め用突筒部１２ｂとコ字形壁部材１７の面板部１７ｃとの間の隙間に配置されている。
【００５３】
図１７（ｂ）、図２０（ａ）に示すように、可動受け部材１３が初期位置にあるとき、コ字形壁部材面板部１７ｃに垂直の方向において、アダプタハウジング１１の窓孔１１ｄの範囲内に表示片部１３ｃは存在しない。このとき、アダプタハウジング１１外側から窓孔１１ｄを目視すると、窓孔１１ｄを介して、位置決め係合ユニット１２の第２切欠部１２ｍの形成部分、及び第１のユニット半体１２Ａの位置決め用突筒部１２ｂの基端部を視認できる。位置決め係合ユニット１２の第２切欠部１２ｍの形成部分、及び第１のユニット半体１２Ａの位置決め用突筒部１２ｂの基端部は、アダプタハウジング１１外側から前記窓孔１１ｄを介して視認可能な識別用ベース面１２ｓを形成している。
【００５４】
識別用ベース面１２ｓは、位置決め係合ユニット１２の第２切欠部１２ｍの形成部分、及び第１のユニット半体１２Ａの位置決め用突筒部１２ｂの基端部のうち、窓孔１１ｄをその軸線方向に延長した仮想延長上に位置する領域を指す。なお、図１７（ｂ）に示すように、図示例のアダプタ１０においては、識別用ベース面１２ｓは、位置決め係合ユニット１２の第２切欠部１２ｍの形成部分（特に、溝状に窪んで形成された第２切欠部１２ｍの底面）の全体を含む。
表示片部１３ｃは、その全体がアダプタハウジング１１の面板部１７ｃ内面側に位置するため、アダプタハウジング１１外側から窓孔１１ｄを介して視認できない。
【００５５】
なお、本実施形態においては、可動受け部材１３（具体的には表示片部１３ｃ）が、アダプタハウジング１１内側における窓孔１１ｄと識別用ベース面１２ｓとの間の領域（空間）に存在しない状態を、可動受け部材１３をアダプタハウジング１１外側から窓孔１１ｄを介して視認できない状態として扱う。
また、この実施形態では、可動受け部材１３（具体的には表示片部１３ｃ）が、アダプタハウジング１１内側における窓孔１１ｄと識別用ベース面１２ｓとの間の領域（空間）に存在する状態を、可動受け部材１３をアダプタハウジング１１外側から窓孔１１ｄを介して視認できる状態として扱う。
【００５６】
図１９（ｂ）、図２０（ｃ）は、第２のコネクタ穴１１ｂに挿入した光コネクタ２０のプラグフレーム２４前端によって初期位置から押動されたハウジング受け片部１３ａが位置決め係合ユニット１２のセンタープレート部１２ｅに当接し、可動受け部材１３が押動限界位置に配置されたときの状態を示す。
この図１９（ｂ）、図２０（ｃ）において、アダプタハウジング１１外側から窓孔１１ｄを介して目視可能な領域の全体にわたって、可動受け部材１３の表示片部１３ｃが配置されている状態となる。このとき、識別用ベース面１２ｓは、可動受け部材１３の表示片部１３ｃによって覆われるため、アダプタハウジング１１外側から窓孔１１ｄを介して視認できなくなる。
【００５７】
このアダプタ１０によれば、光コネクタ２０が、そのプラグフレーム２４の両側の係合突部２４ａに、位置決め係合ユニット１２の第２のユニット半体１２Ｂの一対の爪付き係合片１２ｃ先端部の突爪１２ｊが係合する所（アダプタ１０に結合する位置）まで第２のコネクタ穴１１ｂに押し込まれたときに、アダプタハウジング１１外側から窓孔１１ｄを介して目視可能な領域の全体に可動受け部材１３の表示片部１３ｃが配置される。したがって、このアダプタ１０によれば、アダプタハウジング１１外側から窓孔１１ｄを介して目視可能な領域の全体に表示片部１３ｃが配置された状態をアダプタハウジング１１外側から視認することで、挿入光コネクタ２０のコネクタハウジング２３（具体的にはプラグフレーム２４）がアダプタ１０に結合する位置まで押し込まれたことを把握、確認できる。
【００５８】
可動受け部材１３の表示片部１３ｃは、アダプタハウジング１１外側から窓孔１１ｄを介して目視される側の面１３ｆ（以下、表示面とも言う）の色が、アダプタハウジング１１の面板部１７ｃの色とは異なっている。また、表示片部１３ｃの表示面１３ｆの色は、位置決め係合ユニット１２の第２切欠部１２ｍの形成部分及び第１のユニット半体１２Ａの位置決め用突筒部１２ｂの基端部が形成する識別用ベース面１２ｓの色とも異なっている。
このため、このアダプタ１０では、識別用ベース面１２ｓの色と、可動受け部材１３の表示片部１３ｃの表示面１３ｆの色との違いによって、挿入光コネクタ２０のコネクタハウジング２３（具体的にはプラグフレーム２４）がアダプタ１０に結合する位置まで押し込まれたことを、アダプタハウジング１１外側からの目視によって簡単かつ確実に把握、確認できる。
【００５９】
なお、アダプタ１０の受け部材スプリング１４は、可動受け部材１３（具体的には、そのハウジング受け片部１３ａ）を、アダプタ１０の第２のコネクタ穴１１ｂに挿入した光コネクタ２０のコネクタハウジング２３の前端面２４ｃに押し付けて、可動受け部材１３をアダプタ１０に対するコネクタハウジング２３前端位置に確実に追従させる機能を果たす。
アダプタ１０の第２のコネクタ穴１１ｂに挿入してアダプタ１０に結合した光コネクタ２０のコネクタハウジング２３によって押動されて押動限界位置に配置された可動受け部材１３は、前記光コネクタ２０をアダプタ１０から抜き去ると、受け部材スプリング１４の弾性付勢力によって初期位置に復帰する。
【００６０】
図３（ａ）、（ｂ）、図４（ａ）、（ｂ）に示すように、この実施形態のアダプタ１０は、第２のコネクタ穴１１ｂの開口部を塞ぐシャッター１５も有している。
図１７（ｂ）に示すように、このシャッター１５は、アダプタハウジング１１における第２のコネクタ穴１１ｂの口縁部に取り付けられた回転軸１５ａに一体化されている。回転軸１５ａは、アダプタハウジング１１に対してその軸線に直交する向きの回転軸線を以て回転可能に取り付けられている。また、図５、図１７（ｂ）に示すように、このシャッター１５は、アダプタハウジング１１に設けられたスプリング１５ｂ（図示例では板ばね）によって、第２のコネクタ穴１１ｂの開口部を塞ぐ姿勢に支持されている。
【００６１】
このシャッター１５は、アダプタ１０外側から押圧することで、スプリング１５ｂの弾性に抗してアダプタ１０のアダプタハウジング１１内側に押し倒すことができる。アダプタ１０は、シャッター１５を押し倒すことで第２のコネクタ穴１１ｂの開口部を開放でき、第２のコネクタ穴１１ｂに対する光コネクタ２０の挿脱が可能となる。シャッター１５の押し倒しは、既設光コネクタ５０との接続のために第２のコネクタ穴１１ｂに挿入する光コネクタ２０（挿入光コネクタ）によってシャッター１５を押圧して行なうことが可能である。
前記シャッター１５の回転軸１５ａは、アダプタハウジング１１のハウジングベース板１６に取り付けられている。
【００６２】
この実施形態のアダプタ１０は、第２のコネクタ穴１１ｂに挿入光コネクタ２０が挿入されていないときに第２のコネクタ穴１１ｂの開口部がシャッター１５によって塞がれる。これにより、アダプタ１０は、シャッター１５によって、第２のコネクタ穴１１ｂが開口したままの状態となることを防ぐことができ、第２のコネクタ穴１１ｂのその開口部からの塵等の異物侵入を阻止できる。
また、このアダプタ１０は、第１のコネクタ穴１１ａが該第１のコネクタ穴１１ａに挿入嵌合されている既設光コネクタ５０によって塞がれている。したがって、このアダプタ１０は、第２のコネクタ穴１１ｂに挿入光コネクタ２０が挿入されていない空の状態であっても、シャッター１５と既設光コネクタ５０とによって、空の第２のコネクタ穴１１ｂへの塵等の異物侵入を防止でき、優れた防塵性を確保できる。
【００６３】
次に、図１、図２１等に例示した光コネクタ２０、５０について具体的に説明する。
まず、既設光コネクタとして用いている光コネクタ５０について説明する。
図２１は光コネクタ５０を示す全体斜視図であり、光ファイバケーブル２端末に組み立てた状態を示す。図２２（ａ）、（ｂ）は光コネクタ５０の構造を略解的に示す図であり、（ａ）は光ファイバケーブル２端末に組み立てる前の状態、（ｂ）は組み立て後の状態を示す。
【００６４】
図２２（ａ）、（ｂ）に示すように、光コネクタ５０は、コネクタハウジング５３の後側に光ファイバケーブル２端末を引き留めるためのケーブル引き留め部５２を有しており、光ファイバケーブル２端末に組み立てられる。また、光コネクタ５０は、フェルール３１の後側（前端の接合端面３１ａとは反対の側。図２１において右側）に光ファイバを把持固定可能なクランプ部３３が組み立てられた構成のクランプ部付きフェルール３０をコネクタハウジング５３に収容してなる光コネクタ本体５１を有している。前記ケーブル引き留め部５２は光コネクタ本体５１の後側（フェルール３１とは反対の側）に設けられている。
また、この光コネクタ５０は、コネクタハウジング５３内に、クランプ部付きフェルール３０をコネクタ前側へ向かって弾性付勢する不図示のスプリング（フェルール用スプリング）を有している。
【００６５】
図２９に示すように前記光ファイバケーブル２は、光ファイバ２ａを該光ファイバ２ａに沿って配置した線状の抗張力体２ｂとともに樹脂被覆材２ｃ（以下、外被とも言う）中に埋め込んで一体化した構成の断面略長方形の光ファイバケーブルである。この光ファイバケーブル２は、光ドロップケーブル、光インドアケーブル等として用いられるものである。
前記光ファイバ２ａは光ファイバケーブル２の断面中央部に配置され、前記抗張力体２ｂは光ファイバ２ａから光ファイバケーブル２の断面長手方向両側に離隔した位置に配置されている。前記光ファイバ２ａは、例えば光ファイバ心線、光ファイバ素線といった被覆光ファイバである。図示例では、単心の被覆光ファイバを採用している。
【００６６】
図２５等に示すように、クランプ部付きフェルール３０は、フェルール３１と、該フェルール３１を貫通するファイバ孔３１ｂに内挿固定された短尺の光ファイバ３２（ここでは裸光ファイバ。以下、内蔵光ファイバとも言う）と、フェルール３１の後側の前記クランプ部３３とを具備する。
図２７等に示すように、内蔵光ファイバ３２は、フェルール３１のファイバ孔３１ｂに内挿固定された部分と、フェルール３１後端から後側へ延出された部分である後側延出部３２２とを有する。内蔵光ファイバ３２の後側延出部３２２はクランプ部３３内に配置されている。この内蔵光ファイバ３２は、クランプ部３３内に配置された後端から、フェルール３１の接合端面３１ａに位置を揃えた先端（先端面）まで延在する短尺の光ファイバである。
【００６７】
クランプ部３３は、内蔵光ファイバ３２の後側延出部３２２と、内蔵光ファイバ３２後端にコネクタハウジング５３に別途挿入して突き合わせ接続（光接続）した別の光ファイバ２ａの先端部とを把持固定して、光ファイバ３２、２ａ同士の接続状態を維持する。
図２２（ｂ）、図２５中の符号Ｐは光ファイバ３２、２ａ同士の突き合わせ接続部である。
この光コネクタ５０は、フェルール３１に予め内挿固定した内蔵光ファイバ３２に、光ファイバケーブル２の光ファイバ２ａを突き合わせ接続して、光ファイバケーブル２端末に組み立てられる現場組立形光コネクタである。
【００６８】
図２４〜図２６に示すように、クランプ部付きフェルール３０のクランプ部３３は半割り構造の素子部３３１を有する。この素子部３３１は、フェルール３１の後端部に外挿固定されたリング状のフランジ部３４から後側へ延出された延出片である細長形状のベース側素子３５と、このベース側素子３５に沿って設けられた蓋側素子３６とからなる。ベース側素子３５は、フェルール３１後端よりも後側へ張り出している。
そして、クランプ部３３は、前記素子部３３１を、金属板を加工してなる断面Ｃ形あるいはコ字形（図示例では断面Ｃ形）のスリーブ状のばね３７の内側に収容保持した構成になっている。
【００６９】
図示例のクランプ部３３においてベース側素子３５は、前記フランジ部３４と一体に形成されたプラスチック製あるいは金属製の部材である。但し、本発明においては、ベース側素子３５とフランジ部３４とがプラスチック製あるいは金属製の一体成形品となっている構成に限定されず、例えば、金属製のフランジ部３４にプラスチック製のベース側素子３５がインサートモールド成形、接着固定、嵌合固定等によって一体化された構成になっていても良い。
【００７０】
前記蓋側素子３６は、第１蓋側素子３６１と、この第１蓋側素子３６１を介して前記フェルール３１及びフランジ部３４とは反対の側（後側）に配置された第２蓋側素子３６２とによって構成されている。以下、第１蓋側素子３６１を前側素子、第２蓋側素子３６２を後側素子とも言う。
【００７１】
前記クランプ部３３は、前記ばね３７の弾性によって、半割り構造の前記素子部３３１の一対の素子３５、３６（ベース側素子と蓋側素子）を、その互いに対面する対向面を閉じ合わせる方向に弾性付勢して、前記ばね３７の内側に一括保持して構成されている。
なお、図２６、図２７、図２８（ａ）、（ｂ）中、ベース側素子３５の対向面に符号３５ｆ、前側素子３６１の対向面に符号３６１ｆ、後側素子３６２の対向面に符号３６２ｆを付している。
【００７２】
図２４、図２６に示すように、前記ばね３７は、その長手方向の中央部に形成されたスリット３７ａによって、このスリット３７ａから前側（フェルール３１側）の前側ばね部３７ｂ（図２６参照）と、前記スリット３７ａから後側の後側ばね部３７ｃ（図２６参照）とを有する構成となっている。図２４、図２６に示すように、ばね３７にはその長手方向（中心軸線方向）全長にわたって延在する側部開口部３７ｄが形成されている。前記スリット３７ａはばね３７の前記側部開口部３７ｄに臨む両端から、ばね３７において該ばね３７内側の素子部３３１を介して前記側部開口部３７ｄとは反対に位置する部分（背側連続部３７ｅ）に向かってばね３７の周方向に沿って延在するようにして２本形成されている。ばね３７の前側ばね部３７ｂと後側ばね部３７ｃとは、２本のスリット３７ａの間に確保された背側連続部３７ｅのみを介して繋がっており、それぞれ独立したスリーブ状ばねとして機能する。
【００７３】
図２４、図２５に示すように、蓋側素子３６を構成する２つの素子（前側素子３６１と後側素子３６２）のうち、後側素子３６２は、その全体がばね３７の後側ばね部３７ｃの内側に収容されて後側ばね部３７ｃの弾性によってベース側素子３５の後端部と一括保持されている。一方、前側素子３６１は、ばね３７の前側ばね部３７ｂの内側と後側ばね部３７ｃの内側とに収容されて、ばね３７の弾性によってベース側素子３５と一括保持されている。
【００７４】
図２６、図２７に示すように、ベース側素子３５の対向面３５ｆには、前記内蔵光ファイバ３２の後側延出部３２２と光ファイバ２ａとを突き合わせ接続可能に調心するための調心溝３８ａと、前記光ファイバ２ａの被覆材によって被覆された部分である被覆部１ｄを収容して位置決めするための被覆部収容溝３８ｂとからなるファイバ位置決め溝３８が形成されている。
【００７５】
前記調心溝３８ａは、前記フェルール３１を貫通するファイバ孔３１ｂに連続するようにしてベース側素子３５の前端（図２７においてベース側素子３５の左端）からその延在方向（長手方向）に沿って形成されている。内蔵光ファイバ３２の後側延出部３２２は調心溝３８ａに収容されている。
前記被覆部収容溝３８ｂは、前記調心溝３８ａのフェルール３１側の前端とは反対の後端から、ベース側素子３５の延在方向に沿って該ベース側素子３５の後端まで延在形成されている。
【００７６】
図２８（ａ）、（ｂ）に示すように、図示例の調心溝３８ａはＶ溝であるが、これに限定されず例えば丸溝（断面半円状の溝）、Ｕ溝等も採用可能である。
【００７７】
前記被覆部収容溝３８ｂは、光ファイバ２ａの裸光ファイバ２ａ１よりも太い被覆部１ｄを収容して位置決めするために前記調心溝３８ａに比べて溝幅及び深さを大きくしてある。
図２５、図２７に示すように、図示例の光コネクタ５０のクランプ部３３は、後側素子３６２の対向面３６２ｆにも被覆部収容溝３８ｃが形成された構成になっている。後側素子３６２の対向面３６２ｆに形成された被覆部収容溝３８ｃは、ベース側素子３５の被覆部収容溝３８ｂと対応する位置に形成されている。
また、ベース側素子３５、蓋側素子３６（具体的には後側素子３６２）の被覆部収容溝３８ｂ、３８ｃの前端部は先細りのテーパ状に形成されており、クランプ部３３後端からファイバ位置決め溝３８に光ファイバ２ａを挿入する際（後述）に、光ファイバ２ａ先端の裸光ファイバ２ａ１を調心溝３８ａに円滑に導入することができる。
【００７８】
なお、本発明に係る光コネクタのクランプ部としては、ベース側素子３５の対向面、後側素子３６２の対向面の一方又は両方に被覆部収容溝が形成されている構成を採用できる。クランプ部の素子３５、３５２の被覆部収容溝３８ｂ、３３ｃは、いずれもクランプ部３３の後端に開口するように形成される。また、被覆部収容溝３８ｂ、３３ｃとしては、ここではＶ溝であるが、これに限定されず、例えば丸溝（断面半円状の溝）、Ｕ溝、角溝等も採用可能である。
【００７９】
図２８（ａ）に示すように、光ファイバケーブル２端末に組み立て前の光コネクタ５０は、クランプ部３３の一対の素子３５、３６（ベース側素子３５と蓋側素子３６）間が、該素子３５、３６に介挿されたプレート状の介挿部材４０によって僅かに押し開かれている。この状態において光コネクタ５０は、クランプ部３３は、光ファイバ２ａの先端に露出させた裸光ファイバ２ａ１及び光ファイバ２ａの被覆部１ｄをクランプ部３３後端からファイバ位置決め溝３８に挿入（押し込み）可能になっている。このときのクランプ部３３の状態を、以下、開放状態と言う。
【００８０】
前記介挿部材４０は、クランプ部３３のばね３５の弾性に抗して一対の素子３５、３６間の開放状態を維持する機能を果たす。
図２６、図２７に示すように、介挿部材４０は、ばね３７の側部開口部３７ｄからクランプ部３３の一対の素子３５、３６間、すなわち一対の素子３５、３６の対向面３５ｆ、３６１ｆ、３６２ｆ間に割り込ませるようにして挿入されている。また、この介挿部材４０は、光コネクタ５０のスリーブ状のコネクタハウジング５３の外周壁とその外側のつまみ５６とを貫通する介挿部材挿通孔５７（図２１参照）に通されている。
図２８（ａ）、（ｂ）に示すように、介挿部材４０の先端部４０ａは、クランプ部３３の一対の素子３５、３６間に、素子３５のファイバ位置決め溝３８に到達しない差し込み深さで挿入されており、ファイバ位置決め溝３８への光ファイバ２ａの挿入作業の支障にならない。
【００８１】
また、図２２、図２６に示すように、この介挿部材４０は、蓋側素子３６の２つの素子（前側素子３６１と後側素子３６２）に対応して、前側素子３６１とベース側素子３５との間、及び後側素子３６２とベース側素子３５との間にそれぞれ介挿されている。つまり、前記介挿部材４０は、蓋側素子３６の２つの素子３６１、３６２に対応して、クランプ部付きフェルール３０の前後方向（図２２左右方向）において互いに異なる位置にてクランプ部３３の一対の素子３５、３６間に計２本が介挿されている。
図２２、図２６において、前側素子３６１とベース側素子３５との間に介挿されている介挿部材４０に符号４１、後側素子３６２とベース側素子３５との間に介挿されている介挿部材４に符号４２を付記する。
【００８２】
また、図２２に示すように、前記介挿部材４０は、コネクタ外側（具体的にはつまみ５６の外側）に延出する部分（外側延出部）を有し、該外側延出部を、光コネクタ５０から介挿部材４０を引き抜くための抜き去り操作用の抜き去り操作部として使用できる。
なお、介挿部材４０としては、クランプ部３３のばね３５の弾性に抗して一対の素子３５、３６間の開放状態を維持することができ、かつ一対の素子３５、３６間からの抜き去り操作が可能な構成であれば良く、プレート状のものに限定されず、例えば柔軟なシート状のものや、ロッド状のものであっても良い。
【００８３】
図２２（ａ）に示すように、光コネクタ５０のケーブル引き留め部５２は、コネクタハウジング５３後端から後方へ延出する受け台部５２１と、この受け台部５２１上にコネクタ前後方向にスライド移動可能に設けられた挿入補助スライダ５２３と、コネクタハウジング５３後端部に枢着された引き留めカバー５２２とを有する。
図２３に示すように、受け台部５２１は、コネクタハウジング５３後端から後方へ延出する細長板状の底板５２１ａの幅方向両端部上に、コネクタ前後方向に延在するリブ状のガイド壁５２１ｂを立設した断面コ字状に形成されている。挿入補助スライダ５２３は、受け台部５２１の両側のガイド壁５２１ｂの間にて、底板５２１ａの上面５２１ｃ上に、コネクタ前後方向にスライド移動可能に配置されている。
【００８４】
挿入補助スライダ５２３は、図２２（ａ）に仮想線で示すように、受け台部５２１から後側へ引き出すことが可能である。この挿入補助スライダ５２３には、後述のように、光ファイバケーブル２の端末に固定した引留用固定部材５９が載置される。
【００８５】
引き留めカバー５２２は、コネクタハウジング５３後端部に設けられた枢軸５２２ｄによって、受け台部５２１の底板上面５２１ｃに平行かつコネクタ前後方向に垂直の回転軸線を以てコネクタハウジング５３に回転可能に取り付けられている。
この引き留めカバー５２２は、前記枢軸を中心とする回転によって、受け台部５２１及び挿入補助スライダ５２３に対して、その上側にて開閉動する。また、この引き留めカバー５２２は、挿入補助スライダ５２３上に載置された引留用固定部材５９に被せることで、引留用固定部材５９の光コネクタ５０に対するその後方への変位を規制して引き留める機能を果たす。
【００８６】
前記光ファイバケーブル２の端末に前記光コネクタ５０を組み立てる（取り付ける）には、まず、図２２（ａ）に示すように、光ファイバ２ａを口出し済みの光ファイバケーブル２の端末に、ブロック状の引留用固定部材５９を固定する。前記引留用固定部材５９は、光ファイバケーブル２端末にこれを包囲するように設けられる。引留用固定部材５９としては、例えば、光ファイバケーブル２を嵌め込んで固定するケーブル溝が形成されたプラスチック製のブロック状部材等を挙げることができる。
光ファイバケーブル２端末から口出し済みの光ファイバ２ａは引留用固定部材５９から突出させ、その先端部の被覆材を除去して裸光ファイバ２ａ１を口出しする。
【００８７】
光ファイバケーブル２端末への引留用固定部材５９の固定を完了したら、引留用固定部材５９を、光コネクタ５０後部の受け台部５２１から後側へ引き出しておいた挿入補助スライダ５２３上に載置する。このとき、引き留めカバー５２２は、受け台部５２１及び挿入補助スライダ５２３に対してその上方へ開いた状態にしておく。
挿入補助スライダ５２３は、スライダ本体５２４の後端部上に突設された受圧用突部５２５と、スライダ本体５２４後端部における前記受圧用突部５２５から後側に延在する部分である載置台部５２６とを有する。
【００８８】
引留用固定部材５９は、該引留用固定部材５９からコネクタ前側へ光ファイバ２ａが突出する向きで、挿入補助スライダ５２３後端部の載置台部５２６上に載置する。そして、引留用固定部材５９を、前記受圧用突部５２５を押圧しながら挿入補助スライダ５２３とともに光コネクタ本体５１に向かって移動させる。これにより、光ファイバ２ａを、前記光コネクタ本体５１のコネクタハウジング５３の後端開口部（不図示）を介して、クランプ部付きフェルール３０のクランプ部３３のファイバ位置決め溝３８（図２７参照）に送り込み、裸光ファイバ２ａ１先端を調心溝３８ａ上にて内蔵光ファイバ３２後端に突き合わせる。
【００８９】
挿入補助スライダ５２３は引留用固定部材５９とともにコネクタ前側へ向かって前進するに伴い、スライダ本体５２４が、コネクタハウジング５３に形成された不図示の案内孔に挿入されていく。但し、前記案内孔は、挿入補助スライダ５２３の受圧用突部５２５を挿入できない断面形状に形成されている。引留用固定部材５９は、挿入補助スライダ５２３の受圧用突部５２５がコネクタハウジング５３後端に当接するまで前進させる。光ファイバ２ａの引留用固定部材５９から裸光ファイバ２ａ１先端までの突出長は、光ファイバ２ａ先端の内蔵光ファイバ３２後端に対する突き合わせ完了後、あるいは突き合わせ完了と同時に、挿入補助スライダ５２３の受圧用突部５２５がコネクタハウジング５３後端に当接するように設定される。
引留用固定部材５９は、受圧用突部５２５がコネクタハウジング５３後端に当接する前進限界位置に達したとき、受け台部５２１上に配置される。
【００９０】
引留用固定部材５９が前進限界位置に配置されたら、図２２（ｂ）に示すように、前記受け台部５２１に対して前記引き留めカバー５２２を閉じる。
これにより、引き留めカバー５２２と前記受け台部５２１とによって引留用固定部材５９を収容する固定部材収容ケース５８が組み立てられ、光コネクタ本体５１に対して光ファイバケーブル２端末を引き留めることができる。
【００９１】
前記引き留めカバー５２２は、前進限界位置の引留用固定部材５９上を覆う天板部５２２ａと、前記引留用固定部材５９の後側に配置される後板部５２２ｂとを具備している。前記固定部材収容ケース５８内に引留用固定部材５９を収容したとき、引留用固定部材５９は、光コネクタ本体５１のコネクタハウジング５３後端と前記後板部５２２ｂとの間に、コネクタ前後方向の移動を規制あるいは微動を許容して配置される。
また、引留用固定部材５９から後側へ延出する光ファイバケーブル２は、前記後板部５２２ｂに形成された切り欠き状のケーブル挿通口５２２ｃに通されて、固定部材収容ケース５８から後側へ延出された状態となる。
【００９２】
固定部材収容ケース５８を組み立てて引留用固定部材５９を収容したら、クランプ部付きフェルール３０のクランプ部３３の素子３５、３６間に介挿されている介挿部材４０を素子部３１１から引き抜く。これにより、クランプ部付きフェルール３０の内蔵光ファイバ３２後端と光ファイバケーブル２の光ファイバ２ａとの突き合わせ状態が維持され、光ファイバケーブル２端末に対する光コネクタ５０の組み立てが完了する。
【００９３】
なお、既設の光コネクタ５０としては、光ファイバケーブル２端末に組み立てた光コネクタに限定されない。
この既設光コネクタとしては、例えば光ファイバ心線、光ファイバ素線といった被覆光ファイバの先端部に組み立てた光コネクタ、光ファイバコード先端部に組み立てた光コネクタなども採用可能である。
また，既設光コネクタとしては、フェルールに内蔵光ファイバが内挿固定されている現場組立形のものに限定されない。この光コネクタとしては、例えば、被覆光ファイバ先端に口出しされた裸光ファイバがフェルールに直接内挿固定され、この裸光ファイバ先端面がフェルール接合端面に揃えられた構成のものも採用可能である。
【００９４】
（挿入光コネクタ）
次に、図示例の挿入光コネクタ２０を説明する。
図１、図１０（ａ）、（ｂ）に示すように、挿入光コネクタとして用いられる光コネクタ２０は、光ファイバコード１の先端部に組み立てられている。
この光コネクタ２０のフェルール２１は、光ファイバコード１先端から延出する光ファイバ１ａの先端部に取り付けられている。
【００９５】
図１、図１０（ａ）、（ｂ）に示すように、この光コネクタ２０は、前記フェルール２１をスリーブ状のコネクタハウジング２３の前端部に収容している。また、この光コネクタ２０は、コネクタハウジング２３外側に取り付けたつまみ２６及びリアつまみ２７からなるつまみ２１０を有する。つまみ２６及びリアつまみ２７は、スリーブ状（具体的には角筒状）の部材であり、それぞれ前記コネクタハウジング２３に外挿してその軸線方向にスライド移動可能に取り付けられている。
リアつまみ２７は、その内側につまみ２６の後端部を収容して、つまみ２６に対してその軸線方向にスライド移動可能に設けられている。本明細書においては、つまみ２６を、フロントつまみ２６とも言う。
【００９６】
光ファイバコード１の光ファイバ１ａは、光ファイバ心線、光ファイバ素線といった被覆光ファイバであり、図示例では単心の光ファイバ心線を採用している。
フェルール２１は、具体的には、例えばジルコニアセラミック、ガラスといった材質のキャピラリ部材であるフェルール本体２１ｂの後端部にフランジ部品２１ｃを固定したものである。
図１０（ａ）、（ｂ）に示すように、フェルール本体２１ｂには、光ファイバ１ａ先端に口出しされた裸光ファイバ１ｂが内挿固定されている。裸光ファイバ１ｂの先端面は、フェルール本体２１ｂ先端（前端）の接合端面２１ａに位置を揃えて露出されている。
【００９７】
図１０（ａ）、（ｂ）に示すように、フランジ部品２１ｃは、全体として筒状に形成された部材である。このフランジ部品２１ｃは、光ファイバ１ａに外挿されたスリーブ部２１ｄと、該スリーブ部２１ｄの前側に設けられ、フェルール本体２１ｂの後端部を収容して固定した嵌合リング部２１ｅとを有する。嵌合リング部２１ｅは、その内径及び外径がスリーブ部２１ｄに比べて径大に形成されている。フランジ部品２１ｃは、例えば金属製の一体成形品であるが、これに限定されず、例えば硬質のプラスチックにより形成された一体成形品等も採用可能である。
また、フランジ部品２１ｃは、嵌合リング部２１ｅ前端部の外周に突設されたフランジ部２１ｆを含む。このフランジ部２１ｆはフェルール２１のフランジ部として機能するものである。
【００９８】
図１０（ａ）、（ｂ）に示すように、光ファイバ１ａの被覆材１ｃによって被覆されている被覆部の先端部は、フランジ部品２１ｃのスリーブ部２１ｄ内側に内挿され、接着材による接着固定などによって、フランジ部品２１ｃに固定されている。
図示例では、光ファイバ１ａの被覆部の先端部は、フェルール本体２１ｂ後端から後側に離隔させて、フランジ部品２１ｃのスリーブ部２１ｄの後端部内側に固定されている。
【００９９】
図１０（ａ）、（ｂ）に示すように、リアつまみ２７の後端部には、その内側に、コネクタハウジング２３のストップリング２５後端部外周に突設された押圧力受け突部２５ａにその後側（押圧力受け突部２５ａからコネクタ後側）から当接して、押圧力受け突部２５ａを押圧するための押圧用突部２７ａが突設されている。
図１１、図１２に示すように、押圧力受け突部２５ａは、ストップリング２５後端部外周にフランジ状に突設されている。
【０１００】
図１０（ｂ）、図１１に示すように、この光コネクタ２０は、ストップリング２５後端部の前記押圧力受け突部２５ａと、フロントつまみ２６内面側に形成されたスプリング受け部２６ｂとの間に介在されたスプリング２８を含む。
このスプリング２８は具体的には圧縮コイルばねであり、その中心軸線をコネクタ前後方向に揃えて、ストップリング２５の前記押圧力受け突部２５ａとフロントつまみ２６のスプリング受け部２６ｂとの間に介在されている。このスプリング２８を、以下、つまみ用スプリングとも言う。このつまみ用スプリング２８は、コネクタ前後方向を長手方向として延在する細長形状に形成されている。
【０１０１】
図１０（ｂ）、図１３（ａ）、（ｅ）に示すように、角筒状のフロントつまみ２６の上壁部２６ｃには、その軸線方向に沿って延在するスプリング収容溝２６ｄが形成されている。フロントつまみ２６のスプリング受け部２６ｂは、フロントつまみ２６においてスプリング収容溝２６ｄ前端位置に形成された段差面である。
【０１０２】
図１０（ｂ）、図１４に示すように、スプリング収容溝２６ｄの後端はフロントつまみ２６後端に開口している。
つまみ用スプリング２８は、その前端部をスプリング収容溝２６ｄに収容しており、スプリング収容溝２６ｄに収容した部分から後側の部分を、フロントつまみ２６後端から後側に延出させている。このつまみ用スプリング２８は、フロントつまみ２６のスプリング受け部２６ｂとストップリング２５の前記押圧力受け突部２５ａとの間に設けられている。
【０１０３】
図１１〜図１４に示すように、フロントつまみ２６の両側の側面２６ｉ（側壁部２６ｅ外面）には、その長手方向に沿って延在するガイド溝２６ｆが形成されている。このガイド溝２６ｆは、フロントつまみ２６の両側の側面にそれぞれ互いに平行に２本ずつ形成されている。
図１０（ａ）に示すように、リアつまみ２７は、その内側に突設された係止突爪２７ｂを、フロントつまみ２６の前記ガイド溝２６ｆに入り込ませている。この係止突爪２７ｂは、リアつまみ２７後端部の前記押圧用突部２７ａよりも前側に位置する。
【０１０４】
図１０（ａ）に示すように、リアつまみ２７は、その後端部内側の押圧用突部２７ａが、ストップリング２５の前記押圧力受け突部２５ａにその後側から当接する位置が、コネクタハウジング２３に対する前方向のスライド移動限界位置となっている。
図１０（ａ）において、つまみ用スプリング２８は、フロントつまみ２６のスプリング受け部２６ｂとストップリング２５の前記押圧力受け突部２５ａとの間にて、若干圧縮変形させて設けられている。
【０１０５】
図１０（ａ）に示すように、フロントつまみ２６は、側壁部２６ｅの前記ガイド溝２６ｆの後端位置に形成された溝後端段差２６ｇを、リアつまみ２７の前記係止突爪２７ｂにその後側から当接させている。これにより、フロントつまみ２６は、前記係止突爪２７ｂによって、リアつまみ２７に対してその前側へ脱落しないように係止されている。また、リアつまみ２７は、つまみ用スプリング２８の弾性付勢力によって、押圧用突部２７ａがストップリング２５の前記押圧力受け突部２５ａに対してその後側から押し付けられている。
フロントつまみ２６及びリアつまみ２７には、つまみ用スプリング２８によって、コネクタハウジング２３に対して相対的にコネクタ前側への弾性付勢力が与えられている。
【０１０６】
図１０（ａ）、（ｂ）に示すように、フロントつまみ２６は、コネクタハウジング２３後端部外側に設けられているリアつまみ２７の内側から、フェルール２１前端の接合端面２１ａよりもコネクタ前側へ延出する長さ（軸方向寸法）に形成されている。
【０１０７】
図１０（ａ）、（ｂ）に示すように、フロントつまみ２６の、フェルール２１よりもコネクタ前側に位置する部分の内側には、板状のシャッター２６ｈ（以下、つまみシャッター）が設けられている。このつまみシャッター２６ｈは、角筒状のフロントつまみ２６の４面の内側面の１つから該内側面に対面する内側面に向かって立設されている。このつまみシャッター２６ｈは、フロントつまみ２６先端側へ押し倒し可能である。また、このつまみシャッター２６ｈは金属板であり、押し倒し状態から起立状態に弾性復帰可能である。
【０１０８】
このつまみシャッター２６ｈは、フロントつまみ２６内面に重ね合わせてフロントつまみ２６に固定された固定板部２６ｈ１を有する。この固定板部２６ｈ１は、具体的には、フロントつまみ２６の内側孔を介して上壁部２６ｃに対向する下壁部２６ｐに重ね合わせて固定されている。また、この固定板部２６ｈ１は、下壁部２６ｐのフロントつまみ２６内側孔に臨む内面とプラグフレーム２４との間に挟み込まれている。
また、つまみシャッター２６ｈは、固定板部２６ｈ１の前端から、フロントつまみ２６内側孔を介して固定板部２６ｈ１に対面するフロントつまみ２６内面に向かって立設され、フェルール２１前側を覆うシャッター板部２６ｈ２を有する。図示例のシャッター板部２６ｈ２は、プラグフレーム２４及びフェルール２１の前側にて、フロントつまみ２６の内側孔をほぼ塞ぐように配置されている。
【０１０９】
図１０（ａ）、（ｂ）〜図１２に示すように、この光コネクタ２０は、フェルール２１の弾性付勢用のスプリング２２（以下、フェルール用スプリングとも言う）と、ストップリング２５後端部に嵌合して取り付けられたスリーブ状のブーツ２９とを含む。
光コネクタ２０のコネクタハウジング２３及びブーツ２９は、光ファイバコード１に外挿されている。光ファイバコード１は、光コネクタ２０のブーツ２９後端から延出している。
【０１１０】
図１０（ａ）、（ｂ）に示すように、ストップリング２５の内側孔の前端部はその後側に比べて拡径されている。
フェルール用スプリング２２は、ストップリング２５の内側孔前端部の後端位置に形成されている段差２５ｂと、フェルール２１のフランジ部２１ｆとの間に介在配置されている。
フェルール２１は、フェルール用スプリング２２によってコネクタ前側へ向かって弾性付勢されており、そのフランジ部２１ｆが、スリーブ状のプラグフレーム２４前端部内面に突設（具体的には周設）されているフェルールストッパ突起２４ｂに、その後側から押し付けられている。
【０１１１】
（コネクタ接続作業）
上述の光コネクタ２０は、アダプタ１０に嵌合（結合）させるべく第２のコネクタ穴１１ｂに挿入する場合、例えば作業者が手指でリアつまみ２７を把持して、前記第２のコネクタ穴１１ｂ奥側（穴奥）に向かって前進させていく。
図１７（ａ）、（ｂ）、図１８（ａ）、（ｂ）に示すように、上述の光コネクタ２０は、アダプタ１０に結合させるべく第２のコネクタ穴１１ｂに挿入して押し込んでいくと、まず、フロントつまみ２６前端が位置決め係合ユニット１２の第２のユニット半体１２Ｂの一対の爪付き係合片１２ｃ先端部の突爪１２ｊに当接する。そして、光コネクタ２０は、リアつまみ２７の第２のコネクタ穴１１ｂ奥側への前進継続により、第２のユニット半体１２Ｂの一対の爪付き係合片１２ｃ先端に当接したままのフロントつまみ２６に対してコネクタハウジング２３がスライド移動し、光コネクタ２０のフロントつまみ２６以外の部分が第２のコネクタ穴１１ｂの穴奥に向かって前進していく。
【０１１２】
図１７（ａ）、（ｂ）に示すように、図示例の光コネクタ２０において、固定板部２６ｈ１の前端は、プラグフレーム２４前端に揃えられている。
つまみシャッター２６ｈのシャッター板部２６ｈ２は、光コネクタ２０のリアつまみ２７がフロントつまみ２６に対してコネクタ前側へ向かって相対移動（スライド移動）すると、これに伴い、プラグフレーム２４前端によって押し倒される。押し倒されたシャッター板部２６ｈ２はフロントつまみ２６内面（具体的には下壁部２６ｐ内面）に重ね合わせた状態となる。
なお、図１８（ａ）、（ｂ）、図１９（ａ）、（ｂ）ではつまみシャッター２６ｈの図示を省略している。
【０１１３】
シャッター板部２６ｈ２の固定板部２６ｈ１前端からの延出寸法は、固定板部２６ｈ１前端からフロントつまみ２６までの距離よりも小さい。プラグフレーム２４前端によって押し倒されてフロントつまみ２６内面に重なったシャッター板部２６ｈ２は、固定板部２６ｈ１前端とは反対の先端がフロントつまみ２６先端（前端）からコネクタ後側へ離隔した位置に配置される。
光コネクタ２０をアダプタ１０に挿入して結合させるとき、シャッター板部２６ｈ２は、位置決め係合ユニット１２の第２のユニット半体１２Ｂの位置決め用突筒部１２ｂがフロントつまみ２６に挿入される前にプラグフレーム２４前端によって押し倒される。シャッター板部２６ｈ２は、固定板部２６ｈ１の前端から、フロントつまみ２６内側孔を介して固定板部２６ｈ１に対面するフロントつまみ２６内面に向かって起立した状態から、プラグフレーム２４前端によって押し倒されるまでに、位置決め係合ユニット１２の位置決め用突筒部１２ｂに接触しない。
【０１１４】
光コネクタ２０は、リアつまみ２７の第２のコネクタ穴１１ｂ奥側への前進により、リアつまみ２７後端部内側の押圧用突部２７ａが、コネクタハウジング２３のストップリング２５後端部の押圧力受け突部２６ａをその後側から押圧する。
したがって、フロントつまみ２６が第２のユニット半体１２Ｂの一対の爪付き係合片１２ｃ先端に当接して前進を停止したまま、リアつまみ２７の第２のコネクタ穴１１ｂ奥側への前進継続により、光コネクタ２０のフロントつまみ２６以外の部分が前進していくと、それに伴い、つまみ用スプリング２８が圧縮変形されていく。
そして、光コネクタ２０は、フロントつまみ２６以外の部分の前進継続によって、第２のユニット半体１２Ｂの位置決め用突筒部１２ｂへのフェルール２１（具体的にはフェルール本体２１ｂ）の内挿、位置決め用突筒部１２ｂへのプラグフレーム２４の外挿を開始する。
【０１１５】
一方、フロントつまみ２６は、リアつまみ２７の前進継続により、つまみ用スプリング２８の圧縮変形がある程度進行したところで、その前端部によって第２のユニット半体１２Ｂの一対の爪付き係合片１２ｃ先端間を押し拡げつつ前進を再開する。これにより、位置決め係合ユニット１２の第２のユニット半体１２Ｂの一対の爪付き係合片１２ｃ先端部の突爪１２ｊが、フロントつまみ２６前端部両側の窓部２６ａに入り込む（図１８（ａ）、（ｂ）参照）。
フロントつまみ２６前端部の窓部２６ａに入り込んだ爪付き係合片１２ｃ先端部の突爪１２ｊは、光コネクタ２０のプラグフレーム２４が、可動受け部材１３のハウジング受け片部１３ａを位置決め係合ユニット１２のセンタープレート部１２ｅに押し付ける位置まで前進したときに、プラグフレーム２４の係止突部２４ａの後側に係合する（図１９（ａ）、（ｂ）参照）。
【０１１６】
光コネクタ２０のアダプタ１０に対する結合は、第２のユニット半体１２Ｂの一対の爪付き係合片１２ｃ先端部の突爪１２ｊが、プラグフレーム２４両側の係止突部２４ａに係合したところで完了する。
このとき、光コネクタ２０及び既設光コネクタ５０のフェルール２１、３１同士が、これら光コネクタ２０、５０のフェルール用スプリングの弾性付勢力によって所定の突き当て力を以て突き当てられ、フェルール２１、３１に内挿固定されている光ファイバ１ａ、３２同士の突き合わせ接続（光接続）が実現される。
フェルール２１、３１に内挿固定されている光ファイバ１ａ、３２同士の突き合わせ接続（光接続）は、具体的には、光ファイバコード１の光ファイバ１ａの裸光ファイバ１ｂと、既設光コネクタ５０のフェルール３１に内挿固定されている裸光ファイバである内蔵光ファイバ３２との突き合わせ接続である。
【０１１７】
図１８（ａ）、図１９（ａ）に示すように、光コネクタ２０のリアつまみ２７内側の係止突爪２７ｂは、フロントつまみ２６に対するリアつまみ２７のスライド移動に伴い、フロントつまみ２６のガイド溝２６ｆ内をその長手方向に沿って移動する。
図１６（ａ）に示すように、リアつまみ２７の係止突爪２７ｂは、その前端から後側（図１６（ａ）、（ｂ）において右側）へ行くに従ってリアつまみ２７中心軸線に接近する前側傾斜面２７ｃと、該前側傾斜面２７ｃの後端からリアつまみ２７内面と平行に後側へ延在する平坦な頂面２７ｄと、この頂面２７ｄの後端からリアつまみ２７中心軸線に垂直に形成された後端垂直面２７ｅとを有する台形状に形成されている。
【０１１８】
リアつまみ２７は、アダプタ１０の第２のコネクタ穴１１ｂに挿入したフロントつまみ２６前端部が爪付き係合片１２ｃ先端部の突爪１２ｊに当接したままの状態で前進を継続することでフロントつまみ２６に対してその前側へ向かってスライド移動する。このとき、リアつまみ２７の係止突爪２７ｂは、その後端垂直面２７ｅが、フロントつまみ２６のガイド溝２６ｆ後端位置に対応する溝後端段差２６ｇに当接する初期位置（図１６（ａ）、図１７（ａ）参照）から、ガイド溝２６ｆ内をその前端に向かって移動する。
そして、光コネクタ２０をアダプタ１０の第２のコネクタ穴１１ｂに挿入して結合させる作業において、リアつまみ２７は、最終的に、図１６（ｂ）、図１９（ａ）に示すように、前記係止突爪２７ｂがガイド溝２６ｆ前端部のつまみ係止爪２６ｊを乗り越えその前側に配置された状態とする。
【０１１９】
図１４、図１９（ａ）等に示すように、フロントつまみ２６の前記つまみ係止爪２６ｊは、ガイド溝２６ｆの溝底からガイド溝２６ｆ内に突出する突起であり、ガイド溝２６ｆ前端から後側に若干ずれた位置に形成されている。ガイド溝２６ｆの前端とつまみ係止爪２６ｊとの間には、リアつまみ２７の係止突爪２７ｂを収容可能な寸法が確保されている。図１９（ａ）に示すように、フロントつまみ２６のつまみ係止爪２６ｊを乗り越えたリアつまみ２７の係止突爪２７ｂは、ガイド溝２６ｆの前端とつまみ係止爪２６ｊとの間に収容される。
【０１２０】
リアつまみ２７は、その係止突爪２７ｂを、フロントつまみ２６のつまみ係止爪２６ｊを乗り越えさせてその前側に配置することで、係止突爪２７ｂがつまみ係止爪２６ｊの後側に配置されている場合に比べてフロントつまみ２６後端から後方への突出寸法が小さい状態を維持できる。リアつまみ２７のフロントつまみ２６後端から後方への突出寸法が小さい状態は、リアつまみ２７後端部への衝突物の衝突等を回避するに有利であり、また、衝突物が衝突しても、それによる衝撃力が、光コネクタ２０のリアつまみ２７後端部から前側部分やアダプタ１０、光コネクタ２０、５０同士の接続状態に与える影響を低く抑える点で有利である。
【０１２１】
図１７（ａ）、（ｂ）〜図１９（ａ）、（ｂ）において、アダプタ１０の可動受け部材１３のハウジング受け片部１３ａは、アダプタ１０の第２のコネクタ穴１１ｂに挿入した光コネクタ２０のフロントつまみ２６前端に当接せず、フロントつまみ２６内側のプラグフレーム２４の前端面２４ｃが当接するように、その形状、サイズ、第２のユニット半体１２Ｂの位置決め用突筒部１２ｂに対する配置位置を設定してある。
また、図１８（ａ）、（ｂ）に示すように、可動受け部材１３は、アダプタ１０の第２のコネクタ穴１１ｂ内の爪付き係合片１２ｃ先端部の突爪１２ｊが、第２のコネクタ穴１１ｂに挿入した光コネクタ２０のプラグフレーム２４両側の係合突部２４ａに乗り上げたときに、プラグフレーム前端面２４ｃがハウジング受け片部１３ａに当接するように、アダプタハウジング１１軸線方向におけるハウジング受け片部１３ａの配置位置（初期位置）を設定してある。
【０１２２】
そして、図１９（ｂ）、図２０（ｃ）に示すように、アダプタ１０は、アダプタハウジング１１に対する光コネクタ２０の挿入、結合が完了したとき、アダプタハウジング１１外側から窓孔１１ｄを介して目視可能な領域の全体にわたって、可動受け部材１３の表示片部１３ｃが配置されている状態となる。このアダプタ１０は、アダプタハウジング１１に対するプラグフレーム２４の挿入、完了を、アダプタハウジング１１外側から簡単かつ明瞭に確認できる構成となっている。
【０１２３】
ところで、前記光コネクタ２０は、作業者が手指で把持したリアつまみ２７をアダプタ１０の第２のコネクタ穴１１ｂ奥側に向かって前進させてアダプタ１０に挿入、結合する作業において、位置決め係合ユニット１２内の位置決めスリーブ１２ｈ内側へのフェルール２１（具体的にはフェルール本体２１ｂ）の圧入と、位置決め用突筒部１２ｂへのプラグフレーム２４の外挿とがほぼ同時に開始される（図１８（ａ）、（ｂ）参照）。そして、この光コネクタ２０は、前記位置決めスリーブ１２ｈ内側へのフェルール２１の圧入、及び位置決め用突筒部１２ｂへのプラグフレーム２４の外挿が開始された際に、リアつまみ２７を把持して前進させる手指に押圧抵抗の急上昇が軽い衝撃力の如く感じられることがある。この光コネクタ２０のアダプタ１０に対する結合は、前記位置決めスリーブ１２ｈ内側へのフェルール２１の圧入、及び位置決め用突筒部１２ｂへのプラグフレーム２４の外挿が開始された後、プラグフレーム２４のさらなる前進（第２のコネクタ穴１１ｂへの押し込み）によって、アダプタ１０の第２のコネクタ穴１１ｂ内の爪付き係合片１２ｃ先端部の突爪１２ｊが、第２のコネクタ穴１１ｂに挿入した光コネクタ２０のプラグフレーム２４両側の係合突部２４ａに係合することで実現される。光コネクタ２０をアダプタ１０に結合させるには、光コネクタ２０の第２のコネクタ穴１１ｂへの押し込み（具体的にはリアつまみ２７の前進操作）によって、プラグフレーム２４を爪付き係合片１２ｃと係合する位置まで押し込む必要がある。
【０１２４】
図１８（ａ）、（ｂ）に示す状態は、アダプタ１０の第２のコネクタ穴１１ｂ内の爪付き係合片１２ｃ先端部の突爪１２ｊが、第２のコネクタ穴１１ｂに挿入した光コネクタ２０のプラグフレーム２４両側の係合突部２４ａに乗り上げた状態であり、アダプタ１０に対する光コネクタ２０の結合が完了していない、半挿しの状態である。図１８（ａ）、（ｂ）では、フロントつまみ２６がプラグフレーム２４前端から前側へ突出した状態となっている。図９（ａ）、図１８（ａ）に示すように、この状態においては、フロントつまみ２６における窓部２６ａ後側に位置する部分とプラグフレーム２４の係合突部２４ａとの間の隙間が狭く、前記突爪１２ｊをプラグフレーム２４の係合突部２４ａ後側に係合させることができない。
光コネクタ２０を手指で操作する作業者が、リアつまみ２７を把持して前進させる手指に押圧抵抗の急上昇を感じたところで、リアつまみ２７の前進を終了すると、半挿し状態のままであり、アダプタ１０に対する光コネクタ２０の結合が完了しない。
【０１２５】
このアダプタ１０は、プラグフレーム２４前端が可動受け部材１３のハウジング受け片部１３ａの押圧を開始した後、アダプタハウジング１１内におけるプラグフレーム２４前端の位置（プラグフレーム２４のアダプタハウジング１１に対する挿入長の増大）に応じて可動受け部材１３の表示片部１３ｃが移動する。そして、このアダプタ１０は、アダプタハウジング１１の窓孔１１ｄを介して可動受け部材１３の表示片部１３ｃ（具体的には表示面１３ｆ）の目視可能な大きさ（面積）を把握することで、アダプタハウジング１１外側から、アダプタハウジング１１内におけるプラグフレーム２４前端の位置を確認できる。
【０１２６】
このアダプタ１０は、アダプタハウジング１１に対して光コネクタ２０のプラグフレーム２４が結合（爪付き係合片と係合）する位置まで挿入されたときに、アダプタハウジング１１外側から窓孔１１ｄを介して目視可能な領域の全体にわたって可動受け部材１３の表示片部１３ｃが配置されている状態となる。したがって、可動受け部材１３の表示片部１３ｃが、アダプタハウジング１１外側から窓孔１１ｄを介して目視可能な領域の一部のみに配置されている状態のときは、アダプタハウジング１１に対するプラグフレーム２４の嵌合が完了してない半挿しの状態であることを把握できる。
【０１２７】
このアダプタ１０は、挿入光コネクタ２０のコネクタハウジング２３のアダプタハウジング１１に対する挿し込み状態をアダプタハウジング１１外側から視認可能に表示する表示機構Ｋを構成する。図示例のアダプタ１０の表示機構Ｋは、前記可動受け部材１３と、窓孔１１ｄが形成されたアダプタハウジング１１とを有する。そして、この表示機構Ｋは、可動受け部材１３が挿入光コネクタ２０のコネクタハウジング２３によって押動されることで、アダプタ１０、挿入光コネクタ２０のコネクタハウジング２３のアダプタハウジング１１に対する挿し込み状態を、窓孔１１ｄを介してアダプタハウジング１１外側から視認可能に表示する。これにより、このアダプタ１０では、該アダプタ１０に対する挿入光コネクタ２０の挿し込み状態を、アダプタ１０外側から容易に把握、確認できる。
【０１２８】
既述のように、この実施形態のアダプタ１０は、アダプタ１０に対して光コネクタ２０のプラグフレーム２４が爪付き係合片１２ｃと係合する位置まで挿入されたときに、アダプタハウジング１１外側から窓孔１１ｄを介して目視可能な領域の全体にわたって可動受け部材１３の表示片部１３ｃが配置されている状態となる。
表示機構Ｋは、アダプタ１０に挿入した挿入光コネクタ２０のコネクタハウジング２３の前端部に可動受け部材１３が押動されることで、その表示状態が切り替わり、コネクタハウジング２３のアダプタハウジング１１に対する挿し込み状態を、アダプタ１０外側から視認可能に表示する。つまり、前記表示機構Ｋは、アダプタ１０に挿入した挿入光コネクタ２０のコネクタハウジング２３の前端部の位置に基づいて、挿入光コネクタ２０のコネクタハウジング２３のアダプタハウジング１１に対する挿し込み状態をアダプタ１０外側から視認可能に表示する。
【０１２９】
なお、この光コネクタ２０のアダプタ１０に対する光コネクタ２０の結合が完了していない半挿しの状態は、図１８（ａ）、（ｂ）の、アダプタ１０の爪付き係合片１２ｃ先端部の突爪１２ｊが光コネクタ２０のプラグフレーム２４両側の係合突部２４ａに乗り上げた状態に限定されない。
既述のように、フロントつまみ２６の前端部は、ＳＣ形光コネクタで使用されるつまみの前端部と同様の構成となっている。図９（ａ）、図１７（ａ）等に示すように、フロントつまみ２６の前端部には、フロントつまみ２６をコネクタハウジング２３に対してその後方へ向かってスライド移動させることで、前記コネクタハウジング２３に係合している爪付き係合片１２ｃの係合解除突片１２ｔに当接して、コネクタハウジング２３に対する爪付き係合片１２ｃの係合を解除する係合爪当接部２６ｏが形成されている。半挿し状態としては、アダプタ１０の爪付き係合片１２ｃの先端部が係合爪当接部２６ｏに乗り上げた状態も含む。
【０１３０】
ここで光コネクタ２０のフロントつまみ２６の係合爪当接部２６ｏについて説明する。
フロントつまみ２６の両側の側壁部２６ｅの前端部には、その前端からコネクタ後側に向かって窪む切り欠き部２６ｗが、コネクタ上下方向（図９（ａ）において上下方向、図１７（ａ）に紙面奥行き方向）中央部に形成されている。側壁部２６ｅの前端部はコ字状に形成されている。
フロントつまみ２６は、その前端部に、側壁部２６ｅの前記切り欠き部２６ｗを介して上下両側の部分（前片部２６ｚ）の前端部同士を橋絡する前端橋絡壁部２６ｑを有する。フロントつまみ２６前端部の窓部２６ａは、コ字状の側壁部２６ｅ前端部と前記前端橋絡壁部２６ｑとによって囲まれた内側に確保されている。
前記係合爪当接部２６ｏは、側壁部２６ｅの一対の前片部２６ｚの切り欠き部２６ｗを介して互いに対面する側に、コネクタ前後方向（コネクタハウジング２３軸線方向。フロントつまみ２６軸線方向）に沿って延在形成されている。フロントつまみ２６は係合爪当接部２６ｏを含む。
【０１３１】
図１０（ａ）等に示すように、前端橋絡壁部２６ｑは、フロントつまみ２６の両側の側壁部２６ｅに比べて、両側の側壁部２６ｅの間隔方向であるフロントつまみ２６幅方向の中央部寄りにずれた位置に形成されている。前端橋絡壁部２６ｑは、側壁部２６ｅの前片部２６ｚのフロントつまみ２６内側孔に臨む内面側に繋がって側壁部２６ｅに一体化されている。また、前端橋絡壁部２６ｑは、フロントつまみ２６の上壁部２６ｃ及び下壁部２６ｐにも一体に形成されており、上壁部２６ｃと下壁部２６ｐとの間も橋絡している。
前端橋絡壁部２６ｑは、上壁部２６ｃ前端及び下壁部２６ｐ前端とともに、フロントつまみ２６の前端面を形成している。
【０１３２】
図９（ａ）、図１０（ａ）等に示すように、前記係合爪当接部２６ｏは、その前端部が、前端橋絡壁部２６ｑのフロントつまみ２６内側孔に臨む内面側とは反対の外面側に一体に形成されている。係合爪当接部２６ｏの前端は前端橋絡壁部２６ｑ前端に達している。
【０１３３】
図９（ａ）、図１７（ａ）等に示すように、前記係合爪当接部２６ｏは、フロントつまみ２６の側面２６ｉ（側壁部２６ｅ外面）と平行（図示例では側壁面２６ｅと一致）な頂面２６ｓの前側及び後側に、コネクタ前後方向において前記頂面２６ｓから離隔するにしたがって、フロントつまみ２６内側孔を介して対向する相手側の側壁部２６ｅに接近する傾斜面２６ｔ、２６ｕを有する。頂面２６ｓの前側に位置する傾斜面２６ｔ（前側傾斜面）は、頂面２６ｓからフロントつまみ２６前端面にわたって形成されている。
【０１３４】
切り欠き部２６ｗの上下両側の係合爪当接部２６ｏは、フロントつまみ２６前端から、窓部２６ａのコネクタ前後方向中央部にわたって形成されている。頂面２６ｓの後側に位置する傾斜面２６ｕ（後側傾斜面）は、頂面２６ｓから係合爪当接部２６ｏ後端まで延在形成されている。
図１０（ａ）、図１３（ｂ）に示すように、係合爪当接部２６ｏは、フロントつまみ２６を上壁部２６ｃ側から見たときの平面視形状が台形になっている。
係合爪当接部２６ｏのフロントつまみ２６内側孔に臨む内側面は、側壁部２６ｅの内面２６ｖと連続する該内面２６ｖに面一の平坦面とされている。
係合爪当接部２６ｏの後側、すなわち傾斜面２６ｕの後側には、フロントつまみ２６にその側面２６ｉに沿って形成された平坦面２６ｘが傾斜面２６ｕ後端から延在している。
【０１３５】
図６（ａ）、（ｂ）に示すように、前記アダプタ１０の位置決め係合ユニット１２の各ユニット半体１２Ａ、１２ｂの爪付き係合片１２ｃは、ユニット半体のベース板１２ａからその片面側に延出する弾性延出片１２ｕの先端部に突爪１２ｊと係合解除突片１２ｔとを突設した構成になっている。
突爪１２ｊは、前記ベース板１２ａの位置決め用突筒部１２ｂを介して両側から位置決め用突筒部１２ｂの軸線に沿って延出する一対の弾性延出片１２ｕの先端部の互いに対面する側に突設されている。また、突爪１２ｊは、爪付き係合片１２ｃの先端側から基端側に行くに従って、一対の弾性延出片１２ｕの先端部の互いに対面する相手側への突出寸法が増大するテーパ状に形成されている。この突爪１２ｊは、爪付き係合片１２ｃ先端側から基端側に行くにしたがって弾性延出片１２ｕからの距離が増大するコネクタ当接面１２ｐを形成している。突爪１２ｊの後端（ベース板１２ａに臨む側の端）は、弾性延出片１２ｕの延在方向に垂直に形成されている。
係合解除突片１２ｔは、弾性延出片１２ｕの先端部の、前記一対の弾性延出片１２ｕの間隔方向及び弾性延出片１２ｕの延在方向に垂直の方向の両側に突設されている。
【０１３６】
第２のユニット半体１２Ｂの一対の爪付き係合片１２ｃ先端部の突爪１２ｊの弾性延出片１２ｕからの突出寸法が最大の頂部間の離隔距離は、光コネクタ２０のフロントつまみ２６前端部の前端橋絡壁部２６ｑの上下両側の係合爪当接部２６ｏ間に露出する外面間の距離に比べて若干小さい。
このアダプタ１０は、光コネクタ２０を第２のコネクタ穴１１ｂの穴奥に向かって押し込んでいくと、まず、第２のユニット半体１２Ｂの一対の爪付き係合片１２ｃ先端部の突爪１２ｊのコネクタ当接面１２ｖに、フロントつまみ２６前端部の両側の前端橋絡壁部２６ｑが当接し、光コネクタ２０の挿入進行に伴い爪付き係合片１２ｃの突爪１２ｊが前端橋絡壁部２６ｑ外面側に乗り上げる。前記突爪１２ｊは、光コネクタ２０のフロントつまみ２６の側壁部２６ｅの上下の係合爪当接部２６ｏ間の爪誘導溝２６ｒに挿入されて、前端橋絡壁部２６ｑ外面側に乗り上げる。これにより、第２のユニット半体１２Ｂの一対の爪付き係合片１２ｃの先端部間が押し拡げが開始される。一対の爪付き係合片１２ｃは弾性延出片１２ｕの弾性変形によってその先端部間が押し拡げられる。
なお、光コネクタ２０のフロントつまみ２６の上下の係合爪当接部２６ｏ間の爪誘導溝２６ｒは、側壁部１２ｅの上下の前片部２６ｚ間の切り欠き部２６ｗの一部である。
【０１３７】
前記アダプタ１０は、次いで、光コネクタ２０のフロントつまみ２６の両側の側壁部２６ｅの係合爪当接部２６ｏの前側傾斜面２６ｔが、第２のユニット半体１２Ｂの一対の爪付き係合片１２ｃ先端部の係合解除突片１２ｔに当接して、係合解除突片１２ｔが前記前側傾斜面２６ｔに乗り上げる。そして、第２のコネクタ穴１１ｂへの光コネクタ２０の挿入進行に伴い、光コネクタ２０のフロントつまみ２６両側の係合爪当接部２６ｏの前側傾斜面２６ｔによって、第２のユニット半体１２Ｂの一対の爪付き係合片１２ｃの先端部間が押し拡げられる。
【０１３８】
第２のユニット半体１２Ｂの一対の爪付き係合片１２ｃの前記係合解除突片１２ｔは、第２のコネクタ穴１１ｂへの光コネクタ２０の挿入のさらなる進行によって、フロントつまみ２６の前記係合爪当接部２６ｏの頂面２６ｓに乗り上げた後、頂面２６ｓから係合爪当接部２６ｏの後側傾斜面２６ｕとの当接に移行する。そして、前記一対の爪付き係合片１２ｃは、第２のコネクタ穴１１ｂへの光コネクタ２０の挿入進行によって、突爪１２ｊが、フロントつまみ２６の側壁部２６ｅの爪誘導溝２６ｒから窓部２６ａを介してプラグフレーム２４の係合突部２４ａ後側に入り込むことで、係合解除突片１２ｔが窓部２６ａ内に収容される。窓部２６ａに入り込んだ係合解除突片１２ｔは平坦面２６ｘ（図９（ａ）、（ｂ）、図１０（ａ）参照）に当接する。このとき、光コネクタ２０のフロントつまみ２６前端部の爪誘導溝２６ｒには、爪付き係合片１２ｃの弾性延出片１２ｕが収容される。
【０１３９】
前記光コネクタ２０は、第２のユニット半体１２Ｂの一対の爪付き係合片１２ｃ先端部の突爪１２Ｊがプラグフレーム２４の係合突部２４ａ後側に入り込で係合することで、アダプタ１０に対する結合が完了する。
アダプタ１０のアダプタハウジング１１に対して結合した状態の光コネクタ２０は、リアつまみ２７を、アダプタハウジング１１に対して第２のコネクタ穴１１ｂ奥側とは反対の方向、コネクタ後方に引っ張り操作することで、アダプタ１０から抜き去ることができる。
アダプタハウジング１１に結合状態の光コネクタ２０は、コネクタ後方へのリアつまみ２７を引っ張り操作することで、フロントつまみ２６をコネクタハウジング２３に対してその後方へ向かってスライド移動させることができる。これにより、光コネクタ２０は、フロントつまみ２６前端部の係合爪当接部２６ｏの後側傾斜面２６ｕが、アダプタ１０の爪付き係合片１２ｃのプラグフレーム２４の係合突部２４ａに対する係合を解除し、アダプタ１０からの抜き去りが可能となる。
【０１４０】
図１６（ｂ）に示すように、フロントつまみ２６のつまみ係止爪２６ｊは、その前端から後側（図１６（ｂ）において右側）へ行くに従ってフロントつまみ２６中心軸線に接近する前側傾斜面２６ｋと、該前側傾斜面２６ｋの後端からフロントつまみ側面２６ｉと平行に後側へ延在する平坦な頂面２６ｍと、この頂面２６ｍの後端からフロントつまみ２６中心軸線に垂直に形成された後端垂直面２６ｎとを有する平面視台形状に形成されている。
アダプタ１０のアダプタハウジング１１に対して結合（嵌合）した状態の光コネクタ２０のリアつまみ２７は、アダプタハウジング１１に対して第２のコネクタ穴１１ｂ奥側とは反対の方向に引っ張っることで、その係止突爪２７ｂを、フロントつまみ２６のつまみ係止爪２６ｊを乗り越えさせてその前側から後側へ移動できる。
【０１４１】
係止突爪２７ｂをフロントつまみ２６のつまみ係止爪２６ｊの後側へ移動させたリアつまみ２７は、フロントつまみ２６後端方向へのスライド移動によって、前記係止突爪２７ｂを、フロントつまみ２６のガイド溝２６ｆ後側の溝後端段差２６ｇに係合させることができる。そして、この光コネクタ２０は、前記係止突爪２７ｂをフロントつまみ２６の溝後端段差２６ｇに係合させたリアつまみ２７の、コネクタ後方への引っ張り操作を継続することで、フロントつまみ２６をコネクタハウジング２３に対してコネクタ後方へ向かってスライド移動させることができる。
【０１４２】
アダプタハウジング１１に結合状態の光コネクタ２０は、リアつまみ２７の引っ張り操作によってフロントつまみ２６がコネクタハウジング２３に対してコネクタ後方へ向かってスライド移動することで、フロントつまみ２６前端部の係合爪当接部２６ｏの後側傾斜面２６ｕに、アダプタ１０の爪付き係合片１２ｃの係合解除突片１２ｔを乗り上げさせることができる。したがって、前記光コネクタ２０は、リアつまみ２７のコネクタハウジング２３に対する後側へのスライド移動に伴い、フロントつまみ２６前端部の係合爪当接部２６ｏの後側傾斜面２６ｕによって、アダプタ１０の爪付き係合片１２ｃの係合解除突片１２ｔをフロントつまみ２６外側へ向かって移動させることができる。この結果、光コネクタ２０は、爪付き係合片１２ｃ先端部の突爪１２ｊをプラグフレーム２４の係合突部２４ａからフロントつまみ２６外側方向へ移動して、爪付き係合片１２ｃの係合突部２４ａに対する係合を解除できる。
前記光コネクタ２０は、爪付き係合片１２ｃの係合突部２４ａに対する係合解除後も、リアつまみ２７のコネクタ後方への引っ張り操作を継続することで、アダプタ１０のアダプタハウジング１１から抜き去ることができる。
【０１４３】
したがって、アダプタハウジング１１に結合状態の光コネクタ２０は、リアつまみ２７をコネクタ後方への引っ張り操作するだけで、アダプタ１０から抜き去ることができる。また、アダプタハウジング１１に結合状態の光コネクタ２０は、リアつまみ２７のコネクタ後方への引っ張り操作を行なわなければ、コネクタハウジング２３の係合突部２４ａに対するアダプタ１０の爪付き係合片１２ｃの係合が解除されないため、アダプタハウジング１１に対する結合状態を安定に保つことができる。
光コネクタ２０のフロントつまみ２６の窓部２６ａを含む前端部は、アダプタ１０の第２のコネクタ穴１１ｂ内の爪付き係合片１２ｃに対してスライドロック機構を構成している。
【０１４４】
光コネクタ２０は、アダプタハウジング１１の第２のコネクタ穴１１ｂへの押し込みが不充分で、アダプタ１０の爪付き係合片１２ｃの先端部（具体的には係合解除突片１２ｔ）がフロントつまみ２６の係合爪当接部２６ｏに乗り上げたままであると、爪付き係合片１２ｃ先端部の突爪１２ｊをコネクタハウジング２３に係合させることができない。
アダプタ２０に対する光コネクタ２０の半挿し状態としては、このように、アダプタ１０の爪付き係合片１２ｃの先端部が係合爪当接部２６ｏに乗り上げた状態も含む。
また、半挿し状態としては、例えば、フロントつまみ２６の窓部２６ａに入り込んだ爪付き係合片１２ｃ先端部の突爪１２ｊが、光コネクタ２０のプラグフレーム２４の係合突部２４ａよりも前側の側面に当接した状態も含まれる。
【０１４５】
アダプタ１０は、アダプタハウジング１１内の可動受け部材１３が、コネクタ穴に挿入した挿入光コネクタ２０のコネクタハウジング２３の前端部に押動されてアダプタ１０外側から視認可能な表示を切り替える表示機構を構成するため、挿入光コネクタ２０が半挿し状態の場合、これをアダプタハウジング１１外側から容易に把握できる。
【０１４６】
なお、第２のアダプタ半体１２Ｂの爪付き係合片１２ｃの構成は、アダプタ１０の位置決め係合ユニット１２の第１のアダプタ半体１２Ａも同様である。
第１のアダプタ半体１２Ａの位置決め用突筒部１２ｂ及び爪付き係合片１２ｃの構成及び寸法、配置は、第２のアダプタ半体１２Ａの位置決め用突筒部１２ｂ及び爪付き係合片１２ｃの構成及び寸法、配置と同様になっている。
また、アダプタ１０は、光コネクタ５０にかえて、光コネクタ２０を、第１のコネクタ穴１１ａに挿入して嵌合（結合）させることが可能である。
【０１４７】
（別態様）
本発明に係る実施形態の光コネクタアダプタとしては、既述のアダプタ１０から可動受け部材用スプリング１４を省略した構成のアダプタ１０Ａも採用可能である。
この場合、例えば、図３０に示すように、アダプタ１０Ａを、第２のコネクタ穴１１ｂの開口部が下、第１のコネクタ穴１１ａの開口部が上の向きで設置して使用することが可能である。第２のコネクタ穴１１ｂへの光コネクタの挿脱はアダプタ１０Ａの下側から行なう。
この場合、可動受け部材１３は、その自重によって、既述の初期位置（位置決め係合ユニット１２、アダプタハウジング１１に対する初期位置）、すなわちハウジング受け片部１３ａが位置決め係合ユニット１２のセンタープレート部１２ｅから第２のコネクタ穴１１ｂ開口部側へ離隔した位置に配置できる。可動受け部材１３は、第２のコネクタ穴１１ｂに内挿されアダプタハウジング１１に結合された挿入光コネクタによって位置決め係合ユニット１２のセンタープレート部１２ｅに押し付けられた後、光コネクタが第２のコネクタ穴１１ｂから抜き去られれば、自重によって初期位置に復帰する。
表示機構は、可動受け部材用スプリングを省略して、位置決め係合ユニット１２と可動受け部材１３とで構成することも可能である。
【０１４８】
なお、図３０では、アダプタ１０Ａを、家屋等の建物の壁３に取り付けたケース４内に組み込んだ構成を例示している。既設光コネクタ５０は、壁３内を引き回した光ファイバケーブル２の先端部に組み立てられている。
【０１４９】
以上、本発明を最良の形態に基づいて説明してきたが、本発明は上述の最良の形態に限定されるものではなく、本発明の要旨を逸脱しない範囲で種々の改変が可能である。
【０１５０】
表示機構のハウジング受け片部としては、つまみ付き光コネクタのつまみに当接せず、コネクタハウジング前端面が当接して、コネクタハウジングによって押動される構成のものであれば良く、必ずしもリング状のものに限定されない。
ハウジング受け片部１３ａとしては、例えば、図３１（ａ）に示すように、コネクタハウジング前端面の一部に対応する形状のもの（図中符号１３ｇを付記する）も採用可能である。また、図３１（ｂ）に示すように、コネクタハウジング前端面の一部又は全部に対応する受け片本体１３ｈに、位置決め係合ユニット１２の位置決め用突筒部１２ｂ外周にその軸線方向に沿って延在形成された案内溝１２ｎに挿入したガイド突部１３ｉを突設したもの（図３１（ｂ）。符号１３ｊを付記する）なども採用可能である。
【０１５１】
上述の実施形態では、表示機構として、アダプタハウジングのコネクタ穴に挿入した光コネクタのコネクタハウジングによって可動受け部材が押動されて、可動受け部材の表示片部がアダプタハウジングの窓孔を介してアダプタハウジング外側から視認できない位置から視認可能な位置に移動されることで、コネクタハウジングのアダプタハウジングに対する挿し込み状態を表示する構成（ハウジング位置表示機構）を例示した。
但し、ハウジング位置表示機構としては、これに限定されない。
【０１５２】
ハウジング位置表示機構としては、例えば、窓孔を介してアダプタハウジング外側から視認可能な初期位置に配置された可動受け部材が、アダプタハウジングに挿入された挿入光コネクタのコネクタハウジング前端部によって押動されるに伴い、窓孔から視認できる範囲を縮小する構成（以下、押動退避型表示機構とも言う）も採用可能である。この押動退避型表示機構を有するアダプタは、例えば、挿入光コネクタ２０のアダプタに対する結合が完了したときに、窓孔から可動受け部材（例えば表示片部）を視認できなくなることを以て、挿入光コネクタのコネクタハウジングがアダプタに結合を完了する位置（結合位置）まで挿入されたことを表示する構成を採用できる。
【０１５３】
なお、挿入光コネクタ２０のアダプタに対する結合完了は、第２のユニット半体１２Ｂの位置決め用突筒部１２ｂに対して、挿入光コネクタ２０のフェルール２１が内挿、プラグフレーム２４前端部が外挿され、第２のユニット半体１２Ｂの一対の爪付き係合片１２ｃ（係合爪）先端の突爪１２ｊが挿入光コネクタのプラグフレーム２４両側の係止突部２４ａに係合した状態を指す。この結合完了時には、挿入光コネクタ２０と既設光コネクタ５０との接続が実現される。
【０１５４】
また、ハウジング位置表示機構は、窓孔を介してアダプタハウジング外側から視認可能な初期位置に配置された可動受け部材が、アダプタハウジングに挿入された挿入光コネクタのコネクタハウジング前端部によって押動されることで、窓孔から視認される部分が変更され、初期位置にあるときに窓孔から視認される部分とは色が異なる部分が窓孔から視認可能となる構成（以下、色変更表示機構とも言う）も採用可能である。
この色変更表示機構は、例えば、互いに色が異なる第１及び第２色部分を有する表示片部を具備する可動受け部材を用いた構成を採り得る。この場合は、例えば、アダプタハウジングに挿入された挿入光コネクタのコネクタハウジング前端部によって可動受け部材が初期位置から押動されることで、可動受け部材が初期位置にあるときに窓孔から視認可能であった表示片部の第１色部分が視認できなくなり、表示片部の第２色部分が窓孔から視認可能となる構成を採用できる。
【０１５５】
色変更表示機構に用いる可動受け部材は、窓孔から視認される部分（表示片部）の、光コネクタのコネクタハウジングに押動されたときの移動方向における互いに異なる箇所の色が互いに異なっている構成のものである。
この可動受け部材としては、窓孔から視認される部分の、光コネクタのコネクタハウジングに押動されたときの移動方向における互いに異なる３以上の箇所の色が互いに異なっている構成も採用可能である。この場合、色変更表示機構は、光コネクタのコネクタハウジングの、アダプタハウジングのコネクタ穴に対する挿し込み状態を、より詳細に表示できる。
また、窓孔から視認される部分の、光コネクタのコネクタハウジングに押動されたときの移動方向における互いに異なる３以上の箇所の色が互いに異なっている構成の可動受け部材は、色変更表示機構以外のハウジング位置表示機構にも利用できる。
【０１５６】
ハウジング位置表示機構としては、例えば、可動受け部材として、アダプタハウジングに挿入した挿入光コネクタのコネクタハウジング前端部によって押動されることで、アダプタハウジング外側へ突出される表示片部を有するものを用いた構成（以下、外部突出型表示機構とも言う）も採用可能である。この外部突出型表示機構を採用したアダプタは、アダプタハウジングに挿入した挿入光コネクタのコネクタハウジング前端部に押動された可動受け部材の表示片部が、アダプタハウジングに形成した窓孔から突出して、アダプタハウジングへのコネクタハウジングの挿入位置をアダプタハウジング外側から視認可能に表示する構成を採用できる。但し、このアダプタは、表示片部が窓孔から突出する構成に限定されず、光コネクタ挿入用のコネクタ穴から突出する構成等も採用可能である。
【０１５７】
上述の実施形態では、表示機構として、ハウジング受け片部に表示片部が一体的に設けられた可動受け部材を用いた構成を例示したが、表示機構としては、ハウジング受け片部と表示片部とが互いに別体になっている構成も採用可能である。表示機構としては、アダプタハウジングへのコネクタハウジングの挿入に伴うハウジング受け片部の押動に連動して表示片部がアダプタハウジングに対して移動し、アダプタハウジングへのコネクタハウジングの挿入位置をアダプタハウジング外側から視認可能に表示する構成であれば良く、コネクタハウジングによるハウジング受け片部の押動方向と、該ハウジング受け片部の押動に連動する表示片部のアダプタハウジングに対する移動方向とが互いに異なっている構成も採用可能である。
また、表示機構は、既述の可動受け部材１３のスプリング受け片部１３ｂ自体を表示片部として用いた構成等も採用可能である。
【０１５８】
上述の実施形態では、第２のコネクタ穴１１ｂに挿入された挿入光コネクタのアダプタハウジングに対する結合（位置決め係合ユニットを介した結合）状態を表示するために、第２のコネクタ穴１１ｂに挿入された挿入光コネクタのコネクタハウジングに押動される可動受け部材をアダプタハウジングに設けた構成のアダプタを例示した。
但し、本発明に係る実施形態のアダプタとしては、これに限定されない。アダプタとしては、例えば、第１のコネクタ穴１１ａに挿入された光コネクタのアダプタハウジングに対する結合（位置決め係合ユニットを介した結合）状態を表示するために、第１のコネクタ穴１１ａに挿入された光コネクタのコネクタハウジングに押動される可動受け部材をアダプタハウジングに設けた構成も採用可能である。また、アダプタとしては、第１のコネクタ穴１１ａに挿入された光コネクタのコネクタハウジングに押動される可動受け部材、及び第２のコネクタ穴１１ｂに挿入された光コネクタのコネクタハウジングに押動される可動受け部材の両方をアダプタハウジングに設けた構成も採用可能である。
【０１５９】
（光コネクタレセプタクル）
本発明に係る実施形態としては、アダプタに限定されず、光コネクタレセプタクルも採用可能である。
図３２（ａ）、（ｂ）に、光コネクタレセプタクルの一例を示す。
なお、図中、既述のアダプタ１０と同様の構成部分には共通の符号を付し、その説明を省略あるいは簡略化する。
【０１６０】
図３２（ａ）、（ｂ）に例示した光コネクタレセプタクル１０Ｂ（以下、単にレセプタクルとも言う）では、既述のアダプタ１０、１０Ａの位置決め係合ユニット１２にかえて、図中符号１２Ｃの位置決め係合ユニット（フェルール位置決め部材）を採用している。
図３２（ａ）、（ｂ）、図３３（ａ）、（ｂ）に示すように、位置決め係合ユニット１２Ｃは、平板状のセンタープレート部１２ｑを有し、このセンタープレート部１２ｑの片面側（前面側）に位置決め用突筒部１２ｂ（突筒部）及び一対の爪付き係合片１２ｃを突設し、センタープレート部１２ｑの前面側とは反対の後面側に後側スリーブ部１２ｏを突設した構成となっている。この位置決め係合ユニット１２Ｃのセンタープレート部１２ｑから前側（前面側）の構成は、既述のアダプタ１０、１０Ａの位置決め係合ユニット１２のセンタープレート部１２ｅから第２のユニット半体１２Ｂ側と同様であるので、詳細説明を省略する。
図示例の位置決め係合ユニット１２Ｃは、プラスチック製の一体成形品である。位置決め用突筒部１２ｂ、一対の爪付き係合片１２ｃ（係合爪）、後側スリーブ部１２ｏは、センタープレート部１２ｑに一体に形成されている。
【０１６１】
位置決め係合ユニット１２Ｃの後側スリーブ部１２ｏは、位置決め用突筒部１２ｂをセンタープレート部１２ｑを介して該位置決め用突筒部１２ｂとは反対の側（後側）に延長した構成になっている。また、位置決め係合ユニット１２Ｃには、位置決め用突筒部１２ｂの内側孔と後側スリーブ部１２ｏの内側孔とが互いに連通してなるフェルール収容孔１２ｐが貫通形成されている。
位置決め係合ユニット１２Ｃは、フェルール収容孔１２ｐに位置決めスリーブ１２ｈを収容している。
位置決め用突筒部１２ｂの先端部内周には、前記位置決めスリーブ１２ｈの位置決め用突筒部１２ｂ先端からの抜け出しを規制する抜け止め突部１２ｉが突設されているが、後側スリーブ部１２ｏには抜け止め突部は形成されていない。フェルール収容孔１２ｐは、位置決め用突筒部１２ｂ先端部内側の抜け止め突部１２ｉから後側（後側スリーブ部１２ｏ側）の全体が、位置決めスリーブ１２ｈ外径に比べて僅かに大きい内径に形成されている。
【０１６２】
レセプタクル１０Ｂは、スリーブ状（具体的には角筒状）のレセプタクルハウジング１９内に、その軸線方向中央部にセンタープレート部１２ｑを固定した位置決め係合ユニット１２Ｃを収容した（組み込んだ）構成となっている。位置決め係合ユニット１２Ｃは、センタープレート部１２ｑ（取付板部）を、レセプタクルハウジング１９の軸線に垂直の向きで固定して、レセプタクルハウジング１９内に組み込まれている。位置決め係合ユニット１２Ｃのフェルール収容孔１２ｐの軸線は、レセプタクルハウジング１９の軸線と平行になっている。
図示例のレセプタクル１０Ｂは、レセプタクルハウジング１９の軸線方向において、位置決め係合ユニット１２Ｃのセンタープレート部１２ｑからその前側の部分が、既述のアダプタ１０と同様の構成となっている。位置決め係合ユニット１２Ｃのセンタープレート部１２ｑからその前側のレセプタクルハウジング１９内側は、既述のアダプタ１０の第２のコネクタ穴１１ｂと同様の構成のコネクタ穴１９ａとなっている。図示例のレセプタクル１０Ｂは、その前側からコネクタ穴１９ａへ挿入光コネクタ２０を内挿して、結合させることができる。
【０１６３】
レセプタクル１０Ｂは、位置決めスリーブ１２ｈに、後側スリーブ部１２ｏ突端側から内挿されたフェルール５を有する。レセプタクル１０Ｂは、位置決め係合ユニット１２Ｃと、前記フェルール５とを、スリーブ状のレセプタクルハウジング１９内に組み込んだ構成になっている。前記フェルール５を、以下、内蔵フェルールとも言う。位置決め係合ユニット１２Ｃは、となる向きでレセプタクルハウジング１９に組み込まれている。
【０１６４】
内蔵フェルール５は、単心用のキャピラリ状のフェルール本体５ａと、このフェルール本体５ａの先端（前端）の接合端面５ｂとは反対の後端部に外挿固定したリング状部材が構成するフランジ部５ｃとを有する。この内蔵フェルール５は、フェルール本体５ａのフランジ部５ｃから先端側部分を、位置決め係合ユニット１２Ｃのフェルール挿入孔１２ｐ内の位置決めスリーブ１２ｈに内挿している。フェルール本体５ａは、位置決めスリーブ１２ｈ内径に比べて僅かに大きい外径を有し、位置決めスリーブ１２ｈに圧入されている。
【０１６５】
前記内蔵フェルール５は、レセプタクルハウジング１９内に固定して位置決め係合ユニット１２Ｃの後側に設けられたフェルール抜け止め部材６によって、位置決め係合ユニット１２Ｃの後側スリーブ部１２ｏ突端面にフランジ部５ｃを当接させて位置決め係合ユニット１２Ｃに押さえ込まれている。内蔵フェルール５は、フェルール抜け止め部材６によって、位置決め係合ユニット１２Ｃに対して抜け止めされている。また、内蔵フェルール５のフランジ部５ｃは、位置決め係合ユニット１２Ｃのフェルール収容孔１２ｐから位置決めスリーブ１２ｈが抜け出ることを規制する抜け止めの機能を果たす。
但し、レセプタクルとしては、フェルール５を、位置決め係合ユニット１２Ｃに対するそのフェルール挿入孔１２ｐ軸線方向に僅かな変位を許容して、フェルール抜け止め部材６によって位置決め係合ユニット１２Ｃに対して抜け止めした構成も採用可能である。
【０１６６】
レセプタクル１０Ｂに挿入光コネクタ２０を結合させるには、挿入光コネクタ２０をレセプタクル１０Ｂ前側からコネクタ穴１９ａに挿入して嵌合すれば良い。挿入光コネクタ２０は、レセプタクル１０Ｂのコネクタ穴１９ａに挿入して、位置決め係合ユニット１２Ｃの位置決め用突筒部１２ｂにプラグフレーム２４前端部を外挿（外嵌め）し、フェルール２１（具体的にはフェルール本体２１ｂ）を内挿することで、位置決め係合ユニット１２Ｃのフェルール挿入孔１２ｐの位置決めスリーブ１２ｈ内にて、フェルール２１を内蔵フェルール５に突き合わせることができる。そして、挿入光コネクタ２０は、プラグフレーム２４両側の係合突部２４ａに位置決め係合ユニット１２Ｃの爪付き係合片１２ｃを係合させて、コネクタ穴１９ａからの抜き去り方向の変位を規制することでレセプタクル１０Ｂに結合される。
【０１６７】
レセプタクル１０Ｂの内蔵フェルール５（具体的にはフェルール本体５ａ）には光ファイバ７の先端部が内挿固定されている。光ファイバ７の先端面は、フェルール５の接合端面５ｂと連続面を形成するように位置を揃えて露出されている。
光ファイバ７としては、例えば、単心の光ファイバ心線、光ファイバ素線といった、単心の被覆光ファイバが用いられる。
【０１６８】
レセプタクル１０Ｂは、挿入光コネクタ２０の結合によって、挿入光コネクタ２０のフェルール２１が内蔵フェルール５に突き当てられることで、光ファイバ１ａ、７同士の突き合わせ接続（光接続）が実現される。位置決め係合ユニット１２Ｃのフェルール挿入孔１２ｐ内の位置決めスリーブ１２ｈは、挿入光コネクタ２０のフェルール２１を、内蔵フェルール５に対して、光ファイバ１ａ、７同士の突き合わせ接続（光接続）を実現するべく、高精度に位置決めする機能を果たす。
なお、レセプタクル１０Ｂのコネクタ穴１９ａに挿入、嵌合する挿入光コネクタ２０は、そのフェルール２１のフェルール本体２１ｂ外径が、レセプタクル１０Ｂの内蔵フェルール５のフェルール本体５ａの外径と同じものを用いる。
【０１６９】
このレセプタクル１０Ｂは、図８（ａ）〜（ｄ）に例示した構成の可動受け部材１３を有する。この可動受け部材１３は、レセプタクルハウジング１９内にその軸線方向に移動可能に設けられている。可動受け部材１３は、リング状のハウジング受け片部１３ａを、位置決め係合ユニット１２Ｃの位置決め用突筒部１２ｂにその軸線方向に移動可能に外挿して設けられている。
なお、可動受け部材１３としては、リング状のハウジング受け片部１３ａを有する構成に限定されない。可動受け部材１３としては、位置決め係合ユニット１２Ｃの位置決め用突筒部１２ｂにその軸線方向に移動可能に案内されるハウジング受け片部と、表示片部として機能する部分とを有するものであれば良く、既述のアダプタに使用される可動受け部材と同様の構成のものを用いることができる。
【０１７０】
レセプタクル１０Ｂは、可動受け部材１３を、そのハウジング受け片部１３ａが、位置決め係合ユニット１２Ｃのセンタープレート部１２ｑからコネクタ穴１９ａ前端の開口部側へ離隔する位置（初期位置）に配置するための受け部材スプリング１４を有する。
可動受け部材１３は、コネクタ穴１９ａの開口部側から位置決め係合ユニット１２Ｃのセンタープレート部１２ｑへ向かって押圧力を与えることで、受け部材スプリング１４の弾性付勢力に抗しつつ、図３２（ａ）、（ｂ）に示す初期位置から前記センタープレート部１２ｑに接近するように押動させることができる。可動受け部材１３は、前記初期位置から、ハウジング受け片部１３ａがセンタープレート部１２ｑに当接する位置まで押動させることができる。
【０１７１】
図３３（ａ）、（ｂ）に示すように、位置決め係合ユニット１２Ｃのセンタープレート部１２ｑには、既述のアダプタ１０の位置決め係合ユニット１２のセンタープレート部１２ｅと同様の切欠部１２ｋ、１２ｍが形成されている。
レセプタクル１０Ｂのレセプタクルハウジング１９内にその軸線方向に移動可能に可動受け部材１３を収容するための構成、及び受け部材スプリング１４の組み込み構造は、既述のアダプタ１０と同様であるため、説明を省略する。
【０１７２】
レセプタクル１０Ｂの可動受け部材１３と、レセプタクルハウジング１９に形成された窓孔１９ｂとの関係は、既述のアダプタ１０と同様である。
すなわち、可動受け部材１３が初期位置にあるときには、可動受け部材１３の表示片部１３ｃは、窓孔１９ｂを介してレセプタクルハウジング１９外側から視認できない位置に配置される。可動受け部材１３が、そのハウジング受け片部１３ａがセンタープレート部１２ｑに当接する押動限界位置にあるときには、可動受け部材１３の表示片部１３ｃは、レセプタクルハウジング１９外側から窓孔１９ｂを介して視認可能な領域の全体にわたって可動受け部材１３の表示片部１３ｃが配置された状態となる。
挿入光コネクタ２０のレセプタクル１０Ｂに対する結合を完了したとき、可動受け部材１３は押動限界位置に配置される。また、挿入光コネクタ２０のレセプタクル１０Ｂに対する結合によって押動限界位置に配置された可動受け部材１３は、挿入光コネクタ２０をレセプタクル１０Ｂから抜き去ることで、初期位置に復帰する。
【０１７３】
図示例のレセプタクル１０Ｂは、位置決め係合ユニット１２Ｃのセンタープレート部１２ｑの第２切欠部１２ｍを形成した部分、及び後側スリーブ部１２ｏの基端部（センタープレート部１２ｑ付近）が、レセプタクルハウジング１９内側における窓孔１９ｂの仮想延長（窓孔１９ｂのその軸線方向への仮想延長）上に位置する。可動受け部材１３は、表示片部１３ｃの、レセプタクルハウジング１９外側から窓孔１９ｂを介して視認される部分の色が、位置決め係合ユニット１２Ｃの前記窓孔１９ｂの仮想延長上に位置する部分が形成する識別用ベース面１２ｒの色とは異なっている。
【０１７４】
レセプタクル１０Ｂは、可動受け部材１３と、受け部材スプリング１４と、窓孔１９ｂが形成されたレセプタクルハウジング１９とが構成する、表示機構Ｋ１を有する。
なお、レセプタクルの表示機構としては、受け部材スプリング１４を省略した構成も採用可能である。この場合、レセプタクルは、例えば、コネクタ穴の開口部側である前側が、後側に比べて下側に位置する向きで建物の壁等に取り付け、押動限界位置に配置された可動受け部材が、該可動受け部材の自重によって初期位置に復帰する構成を採用できる。
また、レセプタクルは、アダプタが採用可能な既述のハウジング位置表示機構をアダプタと同様に採用できる。
【０１７５】
光コネクタアダプタ又は光コネクタレセプタクルであるコネクタ接続用ユニットに挿脱可能に挿入して結合させる光コネクタ（挿入光コネクタ）としては、既述の光コネクタ２０に限定されない。
この光コネクタとしては、図３４、図３５に示すように、例えばＪＩＳ Ｃ ５９７３相当品の光コネクタ７０なども採用可能である。また、挿入光コネクタとしては、光ファイバケーブル先端部に組み立てた既述の光コネクタ５０と同様のクランプ部付きフェルール３０をコネクタハウジング内に有し、光ファイバ心線、光ファイバ素線といった被覆光ファイバの先端部に組み立てた現場組立形の光コネクタも採用可能である。
図２１に例示した光コネクタ５０のつまみ５６前端部は、係合爪当接部２６ｏ、前端橋絡部２６ｑ、切り欠き部２６ｗ、窓部５６ａを、既述の光コネクタ２０のフロントつまみ２６前端部と同様に有している。
また、図３４、図３５に例示した光コネクタ７０のつまみ７１も、その前端部に、係合爪当接部２６ｏ、前端橋絡部２６ｑ、切り欠き部２６ｗ、窓部７１ａを、既述の光コネクタ２０のフロントつまみ２６前端部と同様に有している。
【０１７６】
光コネクタアダプタに挿入、嵌合する既設光コネクタとしては、挿入光コネクタとして使用可能な光コネクタを採用できる。
光コネクタアダプタの両側のコネクタ穴に挿入嵌合（結合）する光コネクタは、互いに同じ構成のものであっても良いし、互いに異なる構成のものであっても良い。
また、光コネクタアダプタは、既設光コネクタを挿入嵌合した状態、既設光コネクタを挿入嵌合していない状態のいずれでも使用可能である。
【０１７７】
図３４、図３５に例示した光コネクタ７０は、既述の光コネクタ２０について、そのフロントつまみ２６及びリアつまみ２７にかえて、スリーブ状（具体的には角筒状）のつまみ７１を採用した概略構成となっている。フェルール２１は、コネクタハウジング２３前端（プラグフレーム２４前端）から前側に若干突出されている。また、この光コネクタ７０のコネクタハウジング２３のストップリング２５は、既述の光コネクタ２０のストップリングからその後端の押圧用力受け突部２５ａを省略した構成となっている。
【０１７８】
前記つまみ７１は、フェルール２１を収容したコネクタハウジング２３に外挿してその軸線方向に所定の可動範囲を確保してスライド移動可能に取り付けられている。また、このつまみ７１の両側には、プラグフレーム２４両側の係合突部２４ａを露呈させ、該係合突部２４ａに対する位置決め係合ユニットの爪付き係合片１２ｃの係合を可能する窓部７１ａと、該窓部７１ａ後端から後側へ延びる係合用窓部７１ｂが形成されている。係合用窓部７１ｂは、上下（図３５において上下）方向の幅寸法が窓部７１ａに比べて小さく形成されている。この係合用窓部７１ｂは、つまみ７１の窓部７１ａ後側に位置する部分（壁部）に、その窓部７１ａ後端に臨む部分からコネクタ後側に向かって窪む切り欠き状に形成されている。
【０１７９】
つまみ７１は、係合用窓部７１ｂ後側に位置する壁部の係合用窓部７１ｂ後端に臨む面である窓部後端当接面７１ｃを、プラグフレーム２４の両側の係合突部２４ａの後側に突設されたストッパ用突部２４ｄにその後側（図２４右側）から当接させた位置が、コネクタハウジング２３に対する前進限界位置となっている。つまみ７１は、コネクタハウジング２３に対する前進限界位置にあるとき、その前端がプラグフレーム２４前端に揃った位置にある。
【０１８０】
なお、図１０（ａ）、（ｂ）等に例示した既述の光コネクタ２０のフロントつまみ２６は、窓部２６ａの後側に、図３４、図３５に例示した光コネクタ７０の係合用窓部７１ｂに相当する構成が存在しない。また、フロントつまみ２６は、両側の側壁部２６ｅ間の距離が、プラグフレーム２４の両側に突出するストッパ用突部２４ｄの突端間の距離に比べて僅かに大きい。図９（ｂ）、図１９（ａ）に示すように、コネクタハウジング２３にその軸線方向にスライド移動可能に案内されるフロントつまみ２６は、両側の側壁部２６ｅ及びその仮想延長がプラグフレーム２４の両側のストッパ用突部２４ｄの外側に位置するように、コネクタハウジング２３によって支持されている。この光コネクタ２０のフロントつまみ２６は、プラグフレーム２４に対して、前端がプラグフレーム２４前端よりもコネクタ後側に配置される位置までコネクタ後側へのスライド移動が可能であるが、プラグフレーム２４に対して窓部２６ａを介してプラグフレーム２４のストッパ用突部２４ｄを露呈させる位置に配置されても、ストッパ用突部２４ｄが窓部２６ａ内に入り込まない。
【０１８１】
図示例の光コネクタ７０は、光ファイバコード１の端末に組み立てられている。
図３４に示すように、光ファイバコード１は、光ファイバ１ａと該光ファイバ１ａに沿って設けられた抗張力繊維１ｄとを補強チューブ１ｅ内に収容した構成になっている。
光コネクタ７０のストップリング２５の後端部には、その周囲に、補強チューブ１ｅ先端から延出させた抗張力繊維１ｄが、該ストップリング２５の後端部に外挿した金属製のかしめリング７２を用いてかしめ固定されている。
なお、ストップリング２５の後端部に、光ファイバコード１端末に延出させた抗張力繊維１ｄをかしめリング７２を用いてかしめ固定する構成は、図１０（ａ）、（ｂ）等に例示した光コネクタ２０についても適用可能である。
【０１８２】
コネクタ接続用ユニットとしては、コネクタ穴に挿入したつまみ付き光コネクタのコネクタハウジングの両側の係合突部に係合させる一対の爪付き係合片１２ｃ（係合爪）が一体化された位置決め係合ユニットを、アダプタハウジングあるいはレセプタクルハウジングであるコネクタ収容ハウジング内に組み込んだ構成に限定されない。
コネクタ接続用ユニットとしては、例えば、コネクタ収容ハウジング内に、該コネクタ収容ハウジングに固定する取付板部及び該取付板部に突設された突筒部をフェルール収容孔が貫通する構成のフェルール位置決め部材と、一対の爪付き係合片１２ｃが突設され前記フェルール位置決め部材とは別体に形成された係合部材とを組み込んだ構成等も採用可能である。
【符号の説明】
【０１８３】
１０、１０Ａ…光コネクタアダプタ、１０Ｂ…光コネクタレセプタクル、１１…アダプタハウジング、１１ａ…第１のコネクタ穴、１１ｂ…第２のコネクタ穴、１２…フェルール位置決め部材（位置決め係合ユニット）、１２Ａ…第１のユニット半体、１２Ｂ…第２のユニット半体、１２Ｃ…フェルール位置決め部材（位置決め係合ユニット）、１２ａ…ベース板、１２ｂ…突筒部（位置決め用突筒部）、１２ｃ…係合爪（爪付き係合片）、１２ｅ…取付板部（センタープレート部）、１３…可動受け部材、１３ａ、１３ｇ、１３ｊ…ハウジング受け片部、１３ｂ…スプリング受け片部、１３ｃ…表示片部、１３ｄ…（ハウジング受け片部）の内側孔、１３ｅ…中間片部、１３ｆ…表示面、１４…受け部材スプリング、
２０…光コネクタ（つまみ付き光コネクタ）、２１…フェルール、２３…コネクタハウジング、２４…プラグフレーム、２５…ストップリング、２６…つまみ（フロントつまみ）、２６ｏ…係合爪当接部、２７…つまみ（リアつまみ）、３０…クランプ部付きフェルール、３１…フェルール、５０…光コネクタ、５３…コネクタハウジング、５４…プラグフレーム、５５…ストップリング、５６…つまみ、７０…光コネクタ、７１…つまみ、２１０…つまみ、Ｋ、Ｋ１…表示機構。
【図１】
0005841828.tif 000002
【図２】
0005841828.tif 000003
【図３】
0005841828.tif 000004
【図４】
0005841828.tif 000005
【図５】
0005841828.tif 000006
【図６】
0005841828.tif 000007
【図７】
0005841828.tif 000008
【図８】
0005841828.tif 000009
【図９】
0005841828.tif 000010
【図１０】
0005841828.tif 000011
【図１１】
0005841828.tif 000012
【図１２】
0005841828.tif 000013
【図１３】
0005841828.tif 000014
【図１４】
0005841828.tif 000015
【図１５】
0005841828.tif 000016
【図１６】
0005841828.tif 000017
【図１７】
0005841828.tif 000018
【図１８】
0005841828.tif 000019
【図１９】
0005841828.tif 000020
【図２０】
0005841828.tif 000021
【図２１】
0005841828.tif 000022
【図２２】
0005841828.tif 000023
【図２３】
0005841828.tif 000024
【図２４】
0005841828.tif 000025
【図２５】
0005841828.tif 000026
【図２６】
0005841828.tif 000027
【図２７】
0005841828.tif 000028
【図２８】
0005841828.tif 000029
【図２９】
0005841828.tif 000030
【図３０】
0005841828.tif 000031
【図３１】
0005841828.tif 000032
【図３２】
0005841828.tif 000033
【図３３】
0005841828.tif 000034
【図３４】
0005841828.tif 000035
【図３５】
0005841828.tif 000036